(57)【要約】  本発明にかかる被監視者監視装置および被監視者監視方法ならびに被監視者監視システムでは、被監視者の所定の行動における各行動種類それぞれについて、前記所定の行動を検知するための１または複数の行動検知アルゴリズムが予め用意される。或る行動検知アルゴリズムが検知すると、その検知結果は、まず、そのアルゴリズムＩＤで画像と共に報知され、画像の参照によって前記アルゴリズムＩＤに対応付ける行動種類名が通知される。この通知が１または複数通知されるとアルゴリズムＩＤと行動種類名とが対応付けられ、その後、検知結果は、前記アルゴリズムＩＤに対応付けられた行動種類名で報知される。
2017104521.tif 000002
【特許請求の範囲】
【請求項１】
被監視者における所定の行動を検知して通信可能に接続された端末装置へ報知する被監視者監視装置であって、
前記被監視者における所定の行動を検知する検知処理を実行する行動検知アルゴリズムを、前記所定の行動における互いに異なる複数の行動種類それぞれについて、１または複数で記憶する行動検知アルゴリズム情報記憶部と、
前記行動検知アルゴリズムを特定し識別するための行動検知アルゴリズム識別子を記憶する行動検知アルゴリズム識別子情報記憶部と、
前記行動検知アルゴリズム情報記憶部に記憶されている全ての行動検知アルゴリズムを用いて前記検知処理を実行する検知処理部と、
前記全ての行動検知アルゴリズムについて、前記検知処理部の前記検知処理の結果、当該行動検知アルゴリズムで前記所定の行動を検知した場合に、前記行動検知アルゴリズム識別子情報記憶部に記憶された、当該行動検知アルゴリズムに対応する行動検知アルゴリズム識別子で前記所定の行動の検知を前記被監視者に関わる画像と共に前記端末装置へ報知する報知処理部とを備え、
前記報知処理部は、前記行動検知アルゴリズム識別子と前記行動検知アルゴリズム識別子に対応付けられた前記行動種類の行動種類名を前記端末装置から受信した後、前記受信した前記行動検知アルゴリズム識別子に対応付けられた前記行動種類の行動種類名に基づいて、前記行動検知アルゴリズム識別子に代え行動種類名で、または、前記行動検知アルゴリズム識別子に追加して行動種類名で前記所定の行動の検知を前記端末装置へ報知する、
被監視者監視装置。
【請求項２】
前記報知処理部は、
前記行動検知アルゴリズム識別子と前記行動検知アルゴリズム識別子に対応付けられた前記行動種類の行動種類名を前記端末装置から受信した場合に、前記行動検知アルゴリズム識別子に対応付けられた前記行動種類の行動種類名の受信数を前記行動検知アルゴリズム識別子別および前記行動種類名別に計数する計数処理部と、
前記計数処理部で前記行動検知アルゴリズム識別子別および前記行動種類名別に計数した前記受信数が所定の判定閾値に達した場合に、前記所定の判定閾値に達した受信数を持つ行動検知アルゴリズム識別子において、前記行動検知アルゴリズム識別子に代え前記所定の判定閾値に達した受信数に対応する行動種類名で、または、前記行動検知アルゴリズム識別子に追加して前記所定の判定閾値に達した受信数に対応する行動種類名で前記所定の行動の検知を前記端末装置へ報知する第１報知部とを備える、
請求項１に記載の被監視者監視装置。
【請求項３】
前記行動種類名は、前記複数の行動種類それぞれに対応する複数の名称と、前記複数の行動種類に属さない名称として「その他」とを含み、
前記第１報知部は、前記計数処理部で前記行動検知アルゴリズム識別子別および前記行動種類名別に計数した前記受信数が所定の判定閾値に達し、かつ、前記所定の判定閾値に達した受信数に対応する行動種類名が前記その他である場合、前記行動種類名が前記その他で前記所定の判定閾値に達した受信数を持つ前記行動検知アルゴリズム識別子の行動検知アルゴリズムで前記所定の行動を検知しても、前記所定の行動の検知を前記端末装置へ報知しない、
請求項２に記載の被監視者監視装置。
【請求項４】
前記報知処理部は、
前記行動検知アルゴリズム識別子と前記行動検知アルゴリズム識別子に対応付けられた前記行動種類の行動種類名を前記端末装置から受信した場合に、前記行動検知アルゴリズム識別子に対応付けられた前記行動種類の行動種類名の受信数を前記行動検知アルゴリズム識別子別および前記行動種類名別に計数する計数処理部と、
前記計数処理部で前記行動検知アルゴリズム識別子別および前記行動種類名別に所定の期間、計数した後、全ての行動検知アルゴリズム識別子それぞれにおいて、当該行動検知アルゴリズム識別子に代え当該行動検知アルゴリズム識別子での前記所定の期間で最大の受信数に対応する行動種類名で、または、当該行動検知アルゴリズム識別子に追加して当該行動検知アルゴリズム識別子での前記所定の期間で最大の受信数に対応する行動種類名で前記所定の行動の検知を前記端末装置へ報知する第２報知部とを備える、
請求項１に記載の被監視者監視装置。
【請求項５】
前記行動種類名は、前記複数の行動種類それぞれに対応する複数の名称と、前記複数の行動種類に属さない名称として「その他」とを含み、
前記第２報知部は、前記計数処理部で前記行動検知アルゴリズム識別子別および前記行動種類名別に所定の期間、計数した後、前記所定の期間で最大の受信数に対応する行動種類名が前記その他である場合、前記行動種類名が前記その他で最大の受信数を持つ前記行動検知アルゴリズム識別子の行動検知アルゴリズムで前記所定の行動を検知しても、前記所定の行動の検知を前記端末装置へ報知しない、
請求項４に記載の被監視者監視装置。
【請求項６】
前記行動検知アルゴリズム識別子に対応付けられた前記行動種類の行動種類名の受信数を前記行動検知アルゴリズム識別子別および前記行動種類名別に計数した計数結果を表す受信数情報を記憶する受信数情報記憶部をさらに備え、
前記計数処理部は、前記行動検知アルゴリズム識別子と前記行動検知アルゴリズム識別子に対応付けられた前記行動種類の行動種類名を前記端末装置から受信した場合に、前記受信数情報記憶部に記憶された前記受信数情報を用いて、前記行動検知アルゴリズム識別子に対応付けられた前記行動種類の行動種類名の受信数を前記行動検知アルゴリズム識別子別および前記行動種類名別に計数する
請求項２ないし請求項５のいずれか１項に記載の被監視者監視装置。
【請求項７】
被監視者における所定の行動を検知して通信可能に接続された端末装置へ報知する被監視者監視方法であって、
前記被監視者における所定の行動を検知する検知処理を実行する行動検知アルゴリズムを、前記所定の行動における互いに異なる複数の行動種類それぞれについて、１または複数で行動検知アルゴリズム情報記憶部に記憶する行動検知アルゴリズム情報記憶工程と、
前記行動検知アルゴリズムを特定し識別するための行動検知アルゴリズム識別子を行動検知アルゴリズム識別子情報記憶部に記憶する行動検知アルゴリズム識別子情報記憶工程と、
前記行動検知アルゴリズム情報記憶部に記憶されている全ての行動検知アルゴリズムを用いて前記検知処理を実行する検知処理工程と、
前記全ての行動検知アルゴリズムについて、前記検知処理工程の前記検知処理の結果、当該行動検知アルゴリズムで前記所定の行動を検知した場合に、前記行動検知アルゴリズム識別子情報記憶部に記憶された、当該行動検知アルゴリズムに対応する行動検知アルゴリズム識別子で前記所定の行動の検知を前記被監視者に関わる画像と共に前記端末装置へ報知する報知処理工程とを備え、
前記報知処理工程は、前記行動検知アルゴリズム識別子と前記行動検知アルゴリズム識別子に対応付けられた前記行動種類の行動種類名を前記端末装置から受信した後、前記受信した前記行動検知アルゴリズム識別子に対応付けられた前記行動種類の行動種類名に基づいて、前記行動検知アルゴリズム識別子に代え行動種類名で、または、前記行動検知アルゴリズム識別子に追加して行動種類名で前記所定の行動の検知を前記端末装置へ報知する
被監視者監視方法。
【請求項８】
被監視者における所定の行動を検知する検知処理を実行する行動検知アルゴリズムを、前記所定の行動における互いに異なる複数の行動種類それぞれについて、１または複数で記憶する行動検知アルゴリズム情報記憶部、および、前記行動検知アルゴリズムを特定し識別するための行動検知アルゴリズム識別子を記憶する行動検知アルゴリズム識別子情報記憶部を備え、前記被監視者における所定の行動を検知して通信可能に接続された端末装置へ報知する被監視者監視装置の被監視者監視方法であって、
前記行動検知アルゴリズム情報記憶部に記憶されている全ての行動検知アルゴリズムを用いて前記検知処理を実行する検知処理工程と、
前記全ての行動検知アルゴリズムについて、前記検知処理工程の前記検知処理の結果、当該行動検知アルゴリズムで前記所定の行動を検知した場合に、前記行動検知アルゴリズム識別子情報記憶部に記憶された、当該行動検知アルゴリズムに対応する行動検知アルゴリズム識別子で前記所定の行動の検知を前記被監視者に関わる画像と共に前記端末装置へ報知する報知処理工程とを備え、
前記報知処理工程は、前記行動検知アルゴリズム識別子と前記行動検知アルゴリズム識別子に対応付けられた前記行動種類の行動種類名を前記端末装置から受信した後、前記受信した前記行動検知アルゴリズム識別子に対応付けられた前記行動種類の行動種類名に基づいて、前記行動検知アルゴリズム識別子に代え行動種類名で、または、前記行動検知アルゴリズム識別子に追加して行動種類名で前記所定の行動の検知を前記端末装置へ報知する、
被監視者監視方法。
【請求項９】
端末装置と、前記端末装置と通信可能に接続され、被監視者における所定の行動を検知して前記端末装置へ報知する被監視者監視装置とを備える被監視者監視システムであって、
前記被監視者監視装置は、請求項１ないし請求項６のいずれか１項に記載の被監視者監視装置である
被監視者監視システム。
【請求項１０】
前記被監視者監視装置は、前記被監視者における所定の行動を検知して前記被監視者に関わる画像と共に後記管理サーバ装置へ報知する第１の報知を実行するセンサ装置と、前記センサ装置と通信可能に接続され、前記センサ装置から前記第１の報知を受信すると前記第１の報知を前記端末装置へ報知する第２の報知を実行する管理サーバ装置とを備え、
前記報知処理部は、
前記第１の報知の実行として、前記全ての行動検知アルゴリズムについて、前記検知処理部の前記検知処理の結果、当該行動検知アルゴリズムで前記所定の行動を検知した場合に、前記行動検知アルゴリズム識別子情報記憶部に記憶された、当該行動検知アルゴリズムに対応する行動検知アルゴリズム識別子で前記所定の行動の検知を前記被監視者に関わる画像と共に前記管理サーバ装置へ報知する第１報知処理部と、
前記第２の報知の実行として、前記センサ装置から前記第１の報知を受信すると前記第１の報知を前記端末装置へ報知し、前記行動検知アルゴリズム識別子と前記行動検知アルゴリズム識別子に対応付けられた前記行動種類の行動種類名を前記端末装置から受信した後、前記受信した前記行動検知アルゴリズム識別子に対応付けられた前記行動種類の行動種類名に基づいて、前記行動検知アルゴリズム識別子に代え行動種類名で、または、前記行動検知アルゴリズム識別子に追加して行動種類名で前記所定の行動の検知を前記端末装置へ報知する第２報知処理部とを備え、
前記センサ装置は、前記行動検知アルゴリズム情報記憶部、前記行動検知アルゴリズム識別子情報記憶部、前記検知処理部および前記第１報知処理部を備え、
前記管理サーバ装置は、前記第２報知処理部を備える
被監視者監視システム。
【請求項１１】
前記端末装置は、
表示を行う表示部と、
入力を行う入力部と、
前記行動検知アルゴリズム識別子で前記所定の行動の検知を前記被監視者に関わる画像と共に受信した場合に、前記受信した前記行動検知アルゴリズム識別子および前記被監視者に関わる画像を前記表示部に表示する表示処理部と、
前記行動種類の行動種類名を前記入力部から入力された場合に、前記入力された前記行動種類の行動種類名を前記表示部に表示した前記行動検知アルゴリズム識別子に対応付けて、前記表示部に表示した前記行動検知アルゴリズム識別子と前記入力された前記行動種類の行動種類名とを返信する行動種類名通知処理部とを備える、
請求項９または請求項１０に記載の被監視者監視システム。
【発明の詳細な説明】
【技術分野】
【０００１】
本発明は、監視すべき監視対象である被監視者を監視する被監視者監視装置、被監視者監視方法および被監視者監視システムに関する。
【背景技術】
【０００２】
我が国（日本）は、戦後の高度経済成長に伴う生活水準の向上、衛生環境の改善および医療水準の向上等によって、高齢化社会、より詳しくは、総人口に対する６５歳以上の人口の割合である高齢化率が２１％を超える超高齢化社会になっている。２００５年では、総人口約１億２７６５万人に対し６５歳以上の高齢者人口は、約２５５６万人であったのに対し、２０２０年では、総人口約１億２４１１万人に対し高齢者人口は、約３４５６万人となる予測もある。このような高齢化社会では、病気や怪我や高齢等による看護や介護を必要とする要看護者や要介護者（要看護者等）は、高齢化社会ではない通常の社会で生じる要看護者等よりもその増加が見込まれる。そして、我が国は、例えば２０１３年の合計特殊出生率が１．４３という少子化社会でもある。そのため、高齢な要看護者等を高齢の家族（配偶者、子、兄弟）が介護する老老介護も起きて来ている。【０００３】
要看護者等は、病院や、老人福祉施設（日本の法令では老人短期入所施設、養護老人ホームおよび特別養護老人ホーム等）等の施設に入所し、その看護や介護を受ける。このような施設では、要看護者等が、例えばベッドからの転落や歩行中の転倒等によって怪我を負ったり、ベッドから抜け出して徘徊したりするなどの事態が生じ得る。このような事態に対し、可及的速やかに対応する必要がある。このような事態を放置しておくとさらに重大な事態に発展してしまう可能性もある。このため、前記施設では、看護師や介護士等は、定期的に巡視することによってその安否や様子を確認している。【０００４】
しかしながら、要看護者等の増加数に対し看護師等の増加数が追い付かずに、看護業界や介護業界では、慢性的に人手不足になっている。さらに、日勤の時間帯に較べ、準夜勤や夜勤の時間帯では、看護師や介護士等の人数が減るため、一人当たりの業務負荷が増大するので、前記業務負荷の軽減が要請される。また、前記老老介護の事態は、前記施設でも例外ではなく、高齢の要看護者等を高齢の看護師等がケアすることもしばしば見られる。一般に高齢になると体力が衰えるため、健康であっても若い看護師等に比し看護等の負担が重くなり、また、その動きや判断も遅くなる。【０００５】
このような人手不足や看護師等の負担を軽減するため、看護業務や介護業務を補完する技術が求められている。このため、近年では、要看護者等の、監視すべき監視対象である被監視者を監視（モニタ）する被監視者監視技術が研究、開発されている。【０００６】
このような技術の一つとして、特許文献１には、医療用動き検出装置が開示されている。この特許文献１に開示された医療用動き検出装置は、被介護者Ｇの動きを一以上の角度から撮像するために一以上の異なる位置に配置された一以上の撮像部（１）と、前記撮像部（１）で撮像される被介護者Ｇの画像に対して、任意の検出領域（Ａ）を複数設定可能な領域設定部（３）と、前記領域設定部（３）で設定された複数の検出領域（Ａ）において被介護者Ｇの異常発生を判別するための基準として、画像の一部に生じる変化の閾値を調整可能に設定するための閾値設定部（４）と、前記閾値設定部（４）で設定された閾値に基づき、前記領域設定部（３）で設定された複数の検出領域（Ａ）において異常が発生したか否かを検出するための異常検出部（２）と、前記異常検出部（２）での異常検出に基づいて、基地局（２３）に異常発生を通知する通信部（１６）と、を備える。そして、この特許文献１では、検出領域Ａに関し、その例えば［００４０］段落に「ユーザはマウス等のポインティングデバイスを利用して、画面上から被介護者Ｇの特性に応じた部位を任意の形状の検出領域Ａとして指定する」と記載され、閾値に関し、その例えば［００４６］段落に「閾値の設定をスライダ２６で連続的に調整可能とすると共に、選択中の閾値を実際の画像に適応したプレビューを表示領域２７にて表示可能としている」と記載されている。【０００７】
一方、安否確認の点では、一人暮らしの独居者も前記要看護者等と同様であり、監視対象である被監視者となる。【０００８】
ところで、被監視者監視装置によって異常が報知されると、監視者は、前記異常の報知された被監視者の現場に赴く等の対処を実施するが、前記異常の報知が被監視者の異常ではない状態を異常と判定して報知してしまった誤報である場合、監視者の対処は、無駄となり、労力の損失となってしまう。一方、被監視者監視装置が異常である状態を検知できずに報知しない失報が生じてしまうと、上述のように、より重大な事態に発展してしまう可能性がある。このような誤報や失報等のエラーは、被監視者の個性（特性）によって左右されることが多く、被監視者の個性（特性）によって被監視者監視装置がカスタマイズされることが望まれる。【０００９】
前記特許文献１に開示された医療用動き検出装置では、検出領域や閾値が設定可能であり、前記医療用動き検出装置をカスタマイズできる。しかしながら、前記特許文献１に開示された医療用動き検出装置では、ユーザが前記検出領域や閾値を設定している。このため、ユーザは、被介護者Ｇの個性（特性）を予測して前記検出領域や閾値を設定することになり、その設定された前記検出領域や閾値が実際の被介護者Ｇの個性（特性）と合わず、エラーが生じしてしまったり、その再設定が必要になってしまったりする。また、一般に、施設には、複数の被監視者が居り、複数の被監視者それぞれに対し、装置が配設される。そのため、前記特許文献１に開示された医療用動き検出装置では、ユーザは、複数の装置それぞれに対し、前記検出領域や閾値を設定することになり、手間がかかってしまう。さらに、装置で監視される被監視者を誤ると、前記検出領域や閾値が誤った値に設定されることになり、却ってエラーが生じてしまう可能性もある。
【先行技術文献】
【特許文献】
【００１０】
【特許文献１】特開２０１５−１２８９６７号公報
【発明の概要】
【００１１】
本発明は、上述の事情に鑑みて為された発明であり、その目的は、自動的にカスタマイズできる被監視者監視装置および被監視者監視方法、ならびに、前記被監視者監視装置を用いた被監視者監視システムを提供することである。
【００１２】
本発明にかかる被監視者監視装置および被監視者監視方法ならびに被監視者監視システムでは、被監視者の所定の行動における各行動種類それぞれについて、前記所定の行動を検知するための１または複数の行動検知アルゴリズムが予め用意される。或る行動検知アルゴリズムが検知すると、その検知結果は、まず、そのアルゴリズムＩＤで画像と共に報知され、画像の参照によって前記アルゴリズムＩＤに対応付ける行動種類名が通知される。この通知が１または複数通知されるとアルゴリズムＩＤと行動種類名とが対応付けられ、その後、検知結果は、前記アルゴリズムＩＤに対応付けられた行動種類名で報知される。
【００１３】
上記並びにその他の本発明の目的、特徴及び利点は、以下の詳細な記載と添付図面から明らかになるであろう。
【図面の簡単な説明】
【００１４】
【図１】実施形態における被監視者監視システムの構成を示す図である。
【図２】前記被監視者監視システムにおけるセンサ装置の構成を示す図である。
【図３】前記被監視者監視システムにおける管理サーバ装置の構成を示す図である。
【図４】前記管理サーバ装置に記憶される受信数テーブルの構成を示す図である。
【図５】前記管理サーバ装置に記憶される行動種類名テーブルの構成を示す図である。
【図６】前記被監視者監視システムにおける携帯端末装置の構成を示す図である。
【図７】前記被監視者監視システムにおけるセンサ装置の動作を示すフローチャートである。
【図８】前記被監視者監視システムにおける管理サーバ装置の動作を示すフローチャートである。
【図９】図８に示すフローチャートにおける第１監視情報処理の動作を示すフローチャートである。
【図１０】図８に示すフローチャートにおける行動種類名処理の動作を示すフローチャートである。
【図１１】前記被監視者監視システムにおける携帯端末装置の動作を示すフローチャートである。
【図１２】前記被監視者監視システムにおける携帯端末装置に表示される待受け画面の一例を示す図である。
【図１３】前記被監視者監視システムにおける携帯端末装置に表示される、アルゴリズムＩＤに応じた第１監視情報画面の一例を示す図である。
【図１４】前記被監視者監視システムにおける携帯端末装置に表示される、行動種名に応じた第２監視情報画面の一例を示す図である。
【発明を実施するための形態】
【００１５】
以下、本発明にかかる実施の一形態を図面に基づいて説明する。なお、各図において同一の符号を付した構成は、同一の構成であることを示し、適宜、その説明を省略する。本明細書において、総称する場合には添え字を省略した参照符号で示し、個別の構成を指す場合には添え字を付した参照符号で示す。
【００１６】
図１は、実施形態における被監視者監視システムの構成を示す図である。図２は、実施形態の被監視者監視システムにおけるセンサ装置の構成を示す図である。図３は、実施形態の被監視者監視システムにおける管理サーバ装置の構成を示す図である。図４は、前記管理サーバ装置に記憶される受信数テーブルの構成を示す図である。図５は、前記管理サーバ装置に記憶される行動種類名テーブルの構成を示す図である。図６は、実施形態の被監視者監視システムにおける携帯端末装置の構成を示す図である。
【００１７】
実施形態における被監視者監視システムは、監視すべき（見守るべき）監視対象（見守り対象）である被監視者（見守り対象者）Ｏｂを監視するものであり、端末装置と、前記端末装置と通信可能に接続され、被監視者Ｏｂにおける所定の行動を検知して前記端末装置へ報知する被監視者監視装置とを備える。この実施形態における被監視者監視装置は、被監視者Ｏｂにおける所定の行動を検知する検知処理を実行する行動検知アルゴリズムを、前記所定の行動における互いに異なる複数の行動種類それぞれについて、１または複数で記憶する行動検知アルゴリズム情報記憶部と、前記行動検知アルゴリズムを特定し識別するための行動検知アルゴリズム識別子を記憶する行動検知アルゴリズム識別子情報記憶部と、前記行動検知アルゴリズム情報記憶部に記憶されている全ての行動検知アルゴリズムを用いて前記検知処理を実行する検知処理部と、前記全ての行動検知アルゴリズムについて、前記検知処理部の前記検知処理の結果、当該行動検知アルゴリズムで前記所定の行動を検知した場合に、前記行動検知アルゴリズム識別子情報記憶部に記憶された、当該行動検知アルゴリズムに対応する行動検知アルゴリズム識別子で前記所定の行動の検知を被監視者Ｏｂに関わる画像と共に前記端末装置へ報知する報知処理部とを備える。この報知処理部は、前記行動検知アルゴリズム識別子と前記行動検知アルゴリズム識別子に対応付けられた前記行動種類の行動種類名を前記端末装置から受信した後、前記受信した前記行動検知アルゴリズム識別子に対応付けられた前記行動種類の行動種類名に基づいて、前記行動検知アルゴリズム識別子に代え行動種類名で、または、前記行動検知アルゴリズム識別子に追加して行動種類名で前記所定の行動の検知を前記端末装置へ報知する。なお、前記被監視者に関わる画像は、好ましくは、静止画および動画のうちの少なくとも一方である。実施形態における前記端末装置は、表示を行う表示部と、入力を行う入力部と、前記行動検知アルゴリズム識別子で前記所定の行動の検知を被監視者Ｏｂに関わる前記画像と共に前記被監視者監視装置から受信した場合に、前記受信した前記行動検知アルゴリズム識別子および被監視者Ｏｂに関わる前記画像を前記表示部に表示する表示処理部と、前記行動種類の行動種類名を前記入力部から入力された場合に、前記入力された前記行動種類の行動種類名を前記表示部に表示した前記行動検知アルゴリズム識別子に対応付けて、前記表示部に表示した前記行動検知アルゴリズム識別子と前記入力された前記行動種類の行動種類名とを前記被監視者監視装置へ返信する行動種類名通知処理部とを備える。このような被監視者監視装置は、１個の装置で一体に構成されて良いが、本実施形態では、前記被監視者監視装置は、被監視者Ｏｂにおける所定の行動を検知して被監視者Ｏｂに関わる前記画像と共に後述の管理サーバ装置へ報知する第１の報知を実行するセンサ装置と、前記センサ装置と通信可能に接続され、前記センサ装置から前記第１の報知を受信すると前記第１の報知を前記端末装置へ報知する第２の報知を実行する管理サーバ装置とを備えることで、２個の装置で別体に構成される。前記端末装置は、１種類の装置であって良いが、本実施形態では、前記端末装置は、固定端末装置と携帯端末装置との２種類の装置である。これら固定端末装置と携帯端末装置との主な相違は、固定端末装置が固定的に運用される一方、携帯端末装置が例えば看護師や介護士等の監視者（ユーザ）に携行されて運用される点であり、これら固定端末装置と携帯端末装置とは、略同様であるので、本実施形態では、携帯端末装置を主に説明する。
【００１８】
このような被監視者監視システムＭＳは、より具体的には、例えば、図１に示すように、１または複数のセンサ装置ＳＵ（ＳＵ−１〜ＳＵ−４）と、管理サーバ装置ＳＶと、固定端末装置ＳＰと、１または複数の携帯端末装置ＴＡ（ＴＡ−１、ＴＡ−２）とを備え、これらは、有線や無線で、ＬＡＮ（Ｌｏｃａｌ  Ａｒｅａ  Ｎｅｔｗｏｒｋ）、電話網およびデータ通信網等の網（ネットワーク、通信回線）ＮＷを介して通信可能に接続される。ネットワークＮＷには、通信信号を中継する例えばリピーター、ブリッジ、ルーターおよびクロスコネクト等の中継機が備えられても良い。図１に示す例では、これら複数のセンサ装置ＳＵ−１〜ＳＵ−４、管理サーバ装置ＳＶ、固定端末装置ＳＰおよび複数の携帯端末装置ＴＡ−１、ＴＡ−２は、アクセスポイントＡＰを含む無線ＬＡＮ（例えばＩＥＥＥ８０２．１１規格に従ったＬＡＮ等）ＮＷによって互いに通信可能に接続されている。
【００１９】
被監視者監視システムＭＳは、被監視者Ｏｂに応じて適宜な場所に配設される。被監視者（見守り対象者）Ｏｂは、例えば、病気や怪我等によって看護を必要とする者や、身体能力の低下等によって介護を必要とする者や、一人暮らしの独居者等である。特に、早期発見と早期対処とを可能にする観点から、被監視者Ｏｂは、例えば異常状態等の所定の不都合な事象がその者に生じた場合にその発見を必要としている者であることが好ましい。このため、被監視者監視システムＭＳは、被監視者Ｏｂの種類に応じて、病院、老人福祉施設および住戸等の建物に好適に配設される。図１に示す例では、被監視者監視システムＭＳは、複数の被監視者Ｏｂが入居する複数の居室ＲＭや、ナースステーション等の複数の部屋を備える介護施設の建物に配設されている。
【００２０】
センサ装置ＳＵは、ネットワークＮＷを介して他の装置ＳＶ、ＳＰ、ＴＡと通信する通信機能等を備え、被監視者Ｏｂにおける所定の行動を検知してその検知結果を被監視者Ｏｂに関わる画像と共に管理サーバ装置ＳＶへ報知する第１の報知を実行し、ナースコールを受け付けてその旨を管理サーバ装置ＳＶへ通知し、端末装置ＳＰ、ＴＡとの間で音声通話を行い、そして、動画を含む画像を生成して端末装置ＳＰ、ＴＡへ動画を配信する装置である。このようなセンサ装置ＳＵは、例えば、図２に示すように、撮像部１１と、センサ側音入出力部（ＳＵ音入出力部）１２と、ナースコール受付操作部１３と、センサ側制御処理部（ＳＵ制御処理部）１４と、センサ側通信インターフェース部（ＳＵ通信ＩＦ部）１５と、センサ側記憶部（ＳＵ記憶部）１６とを備える。
【００２１】
撮像部１１は、ＳＵ制御処理部１４に接続され、ＳＵ制御処理部１４の制御に従って、画像（画像データ）を生成する装置である。前記画像には、静止画（静止画データ）および動画（動画データ）が含まれる。撮像部１１は、監視すべき監視対象である被監視者Ｏｂが所在を予定している空間（所在空間、図１に示す例では配設場所の居室ＲＭ）を監視可能に配置され、前記所在空間を撮像対象としてその上方から撮像し、前記撮像対象を俯瞰した画像（画像データ）を生成し、前記撮像対象の画像をＳＵ制御処理部１４へ出力する。好ましくは、被監視者Ｏｂ全体を撮像できる蓋然性が高いことから、撮像部１１は、被監視者Ｏｂが横臥する寝具（例えばベッド等）における、被監視者Ｏｂの頭部が位置すると予定されている予め設定された頭部予定位置（通常、枕の配設位置）の直上から撮像対象を撮像できるように配設される。センサ装置ＳＵは、この撮像部１１によって、被監視者Ｏｂを、被監視者Ｏｂの上方から撮像した画像、好ましくは前記頭部予定位置の直上から撮像した画像を取得する。
【００２２】
このような撮像部１１は、可視光の画像を生成する装置であって良いが、比較的暗がりでも被監視者Ｏｂを監視できるように、本実施形態では、赤外線の画像を生成する装置である。このような撮像部１１は、例えば、本実施形態では、撮像対象における赤外の光学像を所定の結像面上に結像する結像光学系、前記結像面に受光面を一致させて配置され、前記撮像対象における赤外の光学像を電気的な信号に変換するイメージセンサ、および、イメージセンサの出力を画像処理することで前記撮像対象における赤外の画像を表すデータである画像データを生成する画像処理部等を備えるデジタル赤外線カメラである。撮像部１１の前記結像光学系は、本実施形態では、その配設された居室ＲＭ全体を撮像できる画角を持つ広角な光学系（いわゆる広角レンズ（魚眼レンズを含む））であることが好ましい。
【００２３】
ＳＵ音入出力部１２は、ＳＵ制御処理部１４に接続され、外部の音を取得してセンサ装置ＳＵに入力するための回路であって、ＳＵ制御処理部１４の制御に従って音を表す電気信号に応じた音を生成して出力するための回路である。ＳＵ音入出力部１２は、例えば、音の音響振動を電気信号に変換するマイクロホン等と、音の電気信号を音の音響振動に変換するスピーカ等とを備えて構成される。ＳＵ音入出力部１２は、外部の音を表す電気信号をＳＵ制御処理部１４へ出力し、また、ＳＵ制御処理部１４から入力された電気信号を音の音響振動に変換して出力する。
【００２４】
ナースコール受付操作部１３は、ＳＵ制御処理部１４に接続され、ナースコールを当該センサ装置ＳＵに入力するための例えば押しボタン式スイッチ等のスイッチ回路である。なお、ナースコール受付操作部１３は、有線でＳＵ制御処理部１４に接続されて良く、また、例えばＢｌｕｅｔｏｏｔｈ（登録商標）規格等の近距離無線通信でＳＵ制御処理部１４に接続されて良い。
【００２５】
ＳＵ通信ＩＦ部１５は、ＳＵ制御処理部１４に接続され、ＳＵ制御処理部１４の制御に従って通信を行うための通信回路である。ＳＵ通信ＩＦ部１５は、ＳＵ制御処理部１４から入力された転送すべきデータを収容した通信信号を、この被監視者監視システムＭＳのネットワークＮＷで用いられる通信プロトコルに従って生成し、この生成した通信信号をネットワークＮＷを介して他の装置ＳＶ、ＳＰ、ＴＡへ送信する。ＳＵ通信ＩＦ部１５は、ネットワークＮＷを介して他の装置ＳＶ、ＳＰ、ＴＡから通信信号を受信し、この受信した通信信号からデータを取り出し、この取り出したデータをＳＵ制御処理部１４が処理可能な形式のデータに変換してＳＵ制御処理部１４へ出力する。ＳＵ通信ＩＦ部１５は、例えば、ＩＥＥＥ８０２．１１規格等に従った通信インターフェース回路を備えて構成される。
【００２６】
ＳＵ記憶部１６は、ＳＵ制御処理部１４に接続され、ＳＵ制御処理部１４の制御に従って、各種の所定のプログラムおよび各種の所定のデータを記憶する回路である。前記各種の所定のプログラムには、例えば、センサ装置ＳＵの各部を当該各部の機能に応じてそれぞれ制御するＳＵ制御プログラムや、被監視者Ｏｂに対する監視に関する所定の情報処理を実行するＳＵ監視処理プログラム等の制御処理プログラムが含まれる。前記ＳＵ監視処理プログラムには、被監視者Ｏｂにおける所定の行動を検知する検知処理を後述のアルゴリズム情報記憶部１６１に記憶されている全ての行動検知アルゴリズムを用いて実行する行動検知処理プログラムや、前記第１の報知の実行として、前記全ての行動検知アルゴリズムについて、前記行動検知処理プログラムの前記検知処理の結果、当該行動検知アルゴリズムで前記所定の行動を検知した場合に、アルゴリズム情報記憶部１６１に記憶された、当該行動検知アルゴリズムに対応する行動検知アルゴリズム識別子で前記所定の行動の検知を被監視者Ｏｂに関わる画像と共に管理サーバ装置ＳＶへ報知するＳＵ報知処理プログラムや、ナースコール受付操作部１３でナースコールを受け付けた場合にその旨を管理サーバ装置ＳＶへ通報し、ＳＵ音入出力部１２等を用いることで端末装置ＳＰ、ＴＡとの間で音声通話を行うＳＵナースコール処理プログラム、および、撮像部１１で生成した動画を、その動画を要求した端末装置ＳＰ、ＴＡへストリーミングで配信するＳＵストリーミング処理プログラム等が含まれる。前記各種の所定のデータには、自機の、センサ装置ＳＵを特定し識別するための識別子であるセンサ装置識別子（センサＩＤ）、被監視者Ｏｂにおける所定の行動を検知する前記検知処理を実行する行動検知アルゴリズム、前記行動検知アルゴリズムを特定し識別するための行動検知アルゴリズム識別子（アルゴリズムＩＤ）、および、管理サーバ装置ＳＶの通信アドレス等の各プログラムを実行する上で必要なデータ等が含まれる。ＳＵ記憶部１６は、例えば不揮発性の記憶素子であるＲＯＭ（Ｒｅａｄ  Ｏｎｌｙ  Ｍｅｍｏｒｙ）や書き換え可能な不揮発性の記憶素子であるＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）等を備える。ＳＵ記憶部１６は、前記所定のプログラムの実行中に生じるデータ等を記憶するいわゆるＳＵ制御処理部１４のワーキングメモリとなるＲＡＭ（Ｒａｎｄｏｍ  Ａｃｃｅｓｓ  Ｍｅｍｏｒｙ）等を含む。
【００２７】
ＳＵ記憶部１６は、前記行動検知アルゴリズムおよび前記アルゴリズムＩＤを記憶するためのアルゴリズム情報記憶部１６１を機能的に備える。このアルゴリズム情報記憶部１６１は、前記行動検知アルゴリズムを、被監視者Ｏｂの前記所定の行動における互いに異なる複数の行動種類それぞれについて、１または複数でアルゴリズムＩＤと対応付けて記憶する。より具体的には、被監視者Ｏｂにおける前記所定の行動は、本実施形態では、例えば、被監視者Ｏｂが起きた起床、被監視者Ｏｂが寝具から離れた離床、被監視者Ｏｂが寝具から落ちた転落、および、被監視者Ｏｂが倒れた転倒である。このため、複数の行動検知アルゴリズムとして、これら起床、離床、転落および転倒それぞれを検知する複数のプログラム（行動検知プログラム）が予め用意されており、これら複数の行動検知プログラムは、そのアルゴリズムＩＤの一例としてのファイルネームを付されてアルゴリズム情報記憶部１６１に記憶される。より詳しくは、行動検知アルゴリズムの一例である、起床を検知する起床検知プログラムは、本実施形態では、例えば、３個の起床検知プログラム１〜３を備える。起床検知プログラム１は、例えば、撮像部１１で生成された画像に基づいて、被監視者Ｏｂに当たる人体領域が寝具からはみ出たはみ出し量が予め設定された起床判定閾値以上となった場合に起床と判定するプログラムであり、ファイルネームとして「起床アルゴリズム１」が付されてアルゴリズム情報記憶部１６１に記憶される。起床検知プログラム２は、例えば、撮像部１１で生成された画像に基づいて、被監視者Ｏｂの頭部に当たる頭部領域の大きさが横臥姿勢の大きさから座位姿勢の大きさへ時間変化した場合に起床と判定するプログラムであり、ファイルネームとして「起床アルゴリズム２」が付されてアルゴリズム情報記憶部１６１に記憶される。起床検知プログラム３は、例えば、撮像部１１で生成された画像に基づいて、被監視者Ｏｂの頭部領域が寝具上で移動した場合に起床と判定するプログラムであり、ファイルネームとして「起床アルゴリズム３」が付されてアルゴリズム情報記憶部１６１に記憶される。人体領域は、例えば、背景差分法やフレーム差分法等によって検出された動体領域として検出される。頭部領域は、例えば、上述のように検出された人体領域から、頭部のパターンモデルを用いたパターンマッチングによって、あるいは、頭部領域の検出用に学習したニューラルネットワークによって、検出される。なお、起床の検知に寝具を用いる場合には、寝具が配置された領域（寝具領域）が予めＳＵ記憶部１６に記憶される。行動検知アルゴリズムの他の一例である、離床を検知する離床検知プログラムは、本実施形態では、例えば、２個の離床検知プログラム１、２を備える。離床検知プログラム１は、例えば、撮像部１１で撮像された画像に基づいて、被監視者Ｏｂの人体領域が寝具と重なっている重なり量が予め設定された第１閾値（離床判定閾値）以下となった場合に離床と判定するプログラムであり、ファイルネームとして「離床アルゴリズム１」が付されてアルゴリズム情報記憶部１６１に記憶される。離床検知プログラム２は、例えば、撮像部１１で撮像された画像に基づいて、被監視者Ｏｂの人体領域が寝具から離間した場合に離床と判定するプログラムであり、ファイルネームとして「離床アルゴリズム２」が付されてアルゴリズム情報記憶部１６１に記憶される。行動検知アルゴリズムの他の一例である、転落を検知する転落検知プログラムは、本実施形態では、例えば、１個の転落検知プログラム１を備える。転落検知プログラム１は、例えば、撮像部１１で撮像された画像に基づいて、寝具の周囲における、寝具から予め設定された距離以内の領域（寝具周囲領域）内で、被監視者Ｏｂの頭部領域の大きさが或る大きさから床面上での大きさへ時間変化した場合に転落と判定するプログラムであり、ファイルネームとして「転落アルゴリズム１」が付されてアルゴリズム情報記憶部１６１に記憶される。行動検知アルゴリズムの他の一例である、転倒を検知する転倒検知プログラムは、例えば、２個の転倒検知プログラム１、２を備える。転倒検知プログラム１は、例えば、撮像部１１で撮像された画像に基づいて、寝具周囲領域を除く領域で、被監視者Ｏｂの人体領域の大きさが或る大きさから横臥姿勢の大きさへ時間変化し、かつ、前記時間変化の完了時間が予め設定された第２閾値（転倒判定閾値）以内であった場合に転倒と判定するプログラムであり、ファイルネームとして「転倒アルゴリズム１」が付されてアルゴリズム情報記憶部１６１に記憶される。転倒検知プログラム２は、例えば、撮像部１１で撮像された画像に基づいて、寝具周囲領域を除く領域で、被監視者Ｏｂの頭部領域の大きさが或る大きさから床面上での大きさへ時間変化した場合に転落と判定するプログラムであり、ファイルネームとして「転倒アルゴリズム２」が付されてアルゴリズム情報記憶部１６１に記憶される。
【００２８】
ＳＵ制御処理部１４は、センサ装置ＳＵの各部を当該各部の機能に応じてそれぞれ制御し、被監視者Ｏｂにおける所定の行動を検知してその検知結果を被監視者Ｏｂに関わる画像と共に管理サーバ装置ＳＶへ報知する第１の報知を実行し、ナースコールを受け付けてその旨を管理サーバ装置ＳＶへ通知し、端末装置ＳＰ、ＴＡとの間で音声通話を行い、そして、動画を含む画像を生成して端末装置ＳＰ、ＴＡへ動画を配信するための回路である。ＳＵ制御処理部１４は、例えば、ＣＰＵ（Ｃｅｎｔｒａｌ  Ｐｒｏｃｅｓｓｉｎｇ  Ｕｎｉｔ）およびその周辺回路を備えて構成される。ＳＵ制御処理部１４は、前記制御処理プログラムが実行されることによって、センサ側制御部（ＳＵ制御部）１４１、行動検知処理部１４２、センサ側報知処理部（ＳＵ報知処理部）１４３、センサ側ナースコール処理部（ＳＵナースコール処理部）１４４およびセンサ側ストリーミング処理部（ＳＵストリーミング処理部）１４５を機能的に備える。
【００２９】
ＳＵ制御部１４１は、センサ装置ＳＵの各部を当該各部の機能に応じてそれぞれ制御し、センサ装置ＳＵの全体制御を司るものである。
【００３０】
行動検知処理部１４２は、アルゴリズム情報記憶部１６１に記憶されている全ての行動検知アルゴリズムを用いて前記検知処理を実行するものである。より具体的には、本実施形態では、前記所定の行動は、上述したように、被監視者Ｏｂの起床、離床、転倒および転落である。行動検知処理部１４２は、撮像部１１によって生成された画像（例えば１フレーム分の画像）に対し、３個の起床検知プログラム１〜３、２個の離床検知プログラム１、２、１個の転落検知プログラム、および、２個の転倒検知プログラム１、２それぞれを用いて前記検知処理を実行する。
【００３１】
ＳＵ報知処理部１４３は、前記第１の報知の実行として、前記全ての行動検知アルゴリズム（各行動検知プログラム）について、行動検知処理部１４２の検知処理の結果、当該行動検知アルゴリズムで前記所定の行動を検知した場合に、アルゴリズム情報記憶部１６１に記憶された、当該行動検知アルゴリズムに対応するアルゴリズムＩＤで前記所定の行動の検知を被監視者Ｏｂに関わる画像と共にＳＵ通信ＩＦ部１５を介して管理サーバ装置ＳＶへ報知するものである。より具体的には、ＳＵ報知処理部１４３は、自機のセンサＩＤ、前記所定の行動を検知した行動検知アルゴリズムに対応するアルゴリズムＩＤ、前記所定の行動の検知に用いられた画像を収容した通信信号（第１監視情報通信信号）をＳＵ通信ＩＦ部１５を介して管理サーバ装置ＳＶへ送信する。前記画像は、静止画および動画のうちの少なくとも一方であって良く、本実施形態では、後述するように、まず、静止画が報知され、ユーザの要求に応じて動画が配信される。なお、まず、動画が配信されても良く、また、静止画および動画が送信され、画面分割で静止画および動画が端末装置ＳＰ、ＴＡに表示されても良い。
【００３２】
ＳＵナースコール処理部１４４は、ナースコール受付操作部１３でナースコールを受け付けた場合にその旨を管理サーバ装置ＳＶへ通報し、ＳＵ音入出力部１２等を用いることで端末装置ＳＰ、ＴＡとの間で音声通話を行うものである。より具体的には、ＳＵナースコール処理部１４４は、ナースコール受付操作部１３が入力操作されると、ナースコールを受け付けた旨を表すナースコール受付情報および自機のセンサＩＤを収容した通信信号（ナースコール通報通信信号）をＳＵ通信ＩＦ部１５を介して管理サーバ装置ＳＶへ送信する。ＳＵナースコール処理部１４４は、ＳＵ音入出力部１２等を用い、端末装置ＳＰ、ＴＡとの間で例えばＶｏＩＰ（Ｖｏｉｃｅ  ｏｖｅｒ  Ｉｎｔｅｒｎｅｔ  Ｐｒｏｔｏｃｏｌ）によって音声通話を行う。
【００３３】
ＳＵストリーミング処理部１４５は、通信ＩＦ部３を介して固定端末装置ＳＰまたは携帯端末装置ＴＡから動画の配信の要求があった場合に、この要求のあった固定端末装置ＳＰまたは携帯端末装置ＴＡへ、撮像部１１で生成した動画（例えばライブの動画）をストリーミング再生でＳＵ通信ＩＦ部１５を介して配信するものである。
【００３４】
図１には、一例として、４個の第１ないし第４センサ装置ＳＵ−１〜ＳＵ−４が示されており、第１センサ装置ＳＵ−１は、被監視者Ｏｂの一人であるＡさんＯｂ−１の居室ＲＭ−１（不図示）に配設され、第２センサ装置ＳＵ−２は、被監視者Ｏｂの一人であるＢさんＯｂ−２の居室ＲＭ−２（不図示）に配設され、第３センサ装置ＳＵ−３は、被監視者Ｏｂの一人であるＣさんＯｂ−３の居室ＲＭ−３（不図示）に配設され、そして、第４センサ装置ＳＵ−４は、被監視者Ｏｂの一人であるＤさんＯｂ−４の居室ＲＭ−４（不図示）に配設されている。
【００３５】
なお、アルゴリズム情報記憶部１６１は、被監視者Ｏｂにおける所定の行動を検知する検知処理を実行する行動検知アルゴリズムを、前記所定の行動における互いに異なる複数の行動種類それぞれについて、１または複数で記憶する行動検知アルゴリズム情報記憶部、および、前記行動検知アルゴリズムを特定し識別するための行動検知アルゴリズム識別子を記憶する行動検知アルゴリズム識別子情報記憶部それぞれの一例である。撮像部１１および行動検知処理部１４２は、被監視者Ｏｂにおける所定の行動を前記行動検知アルゴリズム情報記憶部に記憶されている全ての行動検知アルゴリズムを用いて前記検知処理を実行する検知処理部の一例である。ＳＵ報知処理部１４３は、前記第１の報知の実行として、前記全ての行動検知アルゴリズムについて、前記検知処理部の前記検知処理の結果、当該行動検知アルゴリズムで前記所定の行動を検知した場合に、前記行動検知アルゴリズム識別子情報記憶部に記憶された、当該行動検知アルゴリズムに対応する行動検知アルゴリズム識別子で前記所定の行動の検知を前記被監視者に関わる画像と共に前記管理サーバ装置へ報知する第１報知処理部の一例である。
【００３６】
管理サーバ装置ＳＶは、ネットワークＮＷを介して他の装置ＳＵ、ＳＰ、ＴＡと通信する通信機能等を備え、センサ装置ＳＵから前記第１の報知を受信すると被監視者Ｏｂに対する監視に関する情報（監視情報）を管理し、前記第２の報知（再報知、転送、通報、送信）の実行として、前記第１の報知を所定の端末装置ＳＰ、ＴＡへ報知し、クライアント（本実施形態では端末装置ＳＰ、ＴＡ等）の要求に応じたデータを前記クライアントに提供し、被監視者監視システムＭＳ全体を管理する装置である。そして、本実施形態では、管理サーバ装置ＳＶは、前記行動検知アルゴリズム識別子（アルゴリズムＩＤ）と前記行動検知アルゴリズム識別子に対応付けられた前記行動種類の行動種類名を端末装置ＳＰ、ＴＡから受信した後、この受信した前記行動検知アルゴリズム識別子に対応付けられた前記行動種類の行動種類名に基づいて、前記行動検知アルゴリズム識別子に代え行動種類名で、または、前記行動検知アルゴリズム識別子に追加して行動種類名で前記所定の行動の検知を所定の端末装置ＳＰ、ＴＡへ報知する。このような管理サーバ装置ＳＶは、例えば、図３に示すように、サーバ側通信インターフェース部（ＳＶ通信ＩＦ部）２１と、サーバ側制御処理部（ＳＶ制御処理部）２２と、サーバ側記憶部（ＳＶ記憶部）２３とを備える。
【００３７】
ＳＶ通信ＩＦ部２１は、ＳＵ通信ＩＦ部１５と同様に、ＳＶ制御処理部２２に接続され、ＳＶ制御処理部２２の制御に従って通信を行うための通信回路である。ＳＶ通信ＩＦ部２１は、例えば、ＩＥＥＥ８０２．１１規格等に従った通信インターフェース回路を備えて構成される。
【００３８】
ＳＶ記憶部２３は、ＳＶ制御処理部２２に接続され、ＳＶ制御処理部２２の制御に従って、各種の所定のプログラムおよび各種の所定のデータを記憶する回路である。前記各種の所定のプログラムには、例えば、管理サーバ装置ＳＶの各部を当該各部の機能に応じてそれぞれ制御するＳＶ制御プログラムや、被監視者Ｏｂに対する監視に関する所定の情報処理を実行するＳＶ監視処理プログラム等の制御処理プログラムが含まれる。前記ＳＶ監視処理プログラムには、センサ装置ＳＵから前記第１の報知を受信すると被監視者Ｏｂに対する監視に関する情報（監視情報）を管理し、前記第２の報知の実行として、センサ装置ＳＵから前記第１の報知を受信すると前記第１の報知を端末装置ＳＰ、ＴＡへ報知し、前記行動検知アルゴリズム識別子（アルゴリズムＩＤ）と前記行動検知アルゴリズム識別子に対応付けられた前記行動種類の行動種類名を端末装置ＳＰ、ＴＡから受信した後、この受信した前記行動検知アルゴリズム識別子に対応付けられた前記行動種類の行動種類名に基づいて、前記行動検知アルゴリズム識別子に代え行動種類名で、または、前記行動検知アルゴリズム識別子に追加して行動種類名で前記所定の行動の検知を端末装置ＳＰ、ＴＡへ報知するＳＶ監視報知処理プログラムや、前記行動検知アルゴリズム識別子（アルゴリズムＩＤ）と前記行動検知アルゴリズム識別子に対応付けられた前記行動種類の行動種類名を端末装置ＳＰ、ＴＡから受信した場合に、前記行動検知アルゴリズム識別子に対応付けられた前記行動種類の行動種類名の受信数を前記行動検知アルゴリズム識別子別および前記行動種類名別に計数する計数処理プログラム等が含まれる。なお、本実施形態のように、複数の被監視者Ｏｂ−１〜Ｏｂ−４それぞれを複数のセンサ装置ＳＵそれぞれで監視する場合には、センサ装置ＳＵが検知処理部の一例の構成を含むので、計数処理プログラムは、前記受信数を、さらに、センサ装置ＳＵ別（例えばセンサＩＤ別）にも計数する。前記各種の所定のデータには、自機の、管理サーバ装置ＳＶを特定し管理サーバ装置ＳＶを識別するための識別子であるサーバ識別子（サーバＩＤ）や、被監視者Ｏｂに対する監視に関する監視情報や、前記第２の報知の報知先等の装置ＳＵ、ＳＰ、ＴＡ間の情報を表す装置間情報、前記行動検知アルゴリズム識別子に対応付けられた前記行動種類の行動種類名の受信数を前記行動検知アルゴリズム識別子別および前記行動種類名別に計数した計数結果を表す受信数情報や、前記行動検知アルゴリズム識別子と前記行動種類の行動種類名との対応関係の状況を表す行動種類名情報等の各プログラムを実行する上で必要なデータ等が含まれる。これら監視情報、装置間情報、受信数情報および行動種類名情報それぞれを記憶するために、ＳＶ記憶部２３は、サーバ側監視情報記憶部（ＳＶ監視情報記憶部）２３１、装置間情報記憶部２３２、受信数情報記憶部２３３および行動種類名情報記憶部２３４を機能的に備える。
【００３９】
ＳＶ監視情報記憶部２３１は、前記監視情報として、本実施形態では、センサ装置ＳＵから受信した第１監視情報通信信号に収容されたセンサＩＤ、アルゴリズムＩＤおよび画像、ならびに、当該第１監視情報通信信号の受信時刻等を互いに対応付けて記憶するものである。そして、本実施形態では、ＳＶ監視情報記憶部２３１は、センサ装置ＳＵから受信したナースコール通報通信信号に収容されたナースコール受付情報、センサＩＤおよび当該ナースコール通報通信信号の受信時刻等の、被監視者Ｏｂの監視に関し、各装置ＳＵ、ＳＰ、ＴＡそれぞれとの間で送受信した被監視者Ｏｂの監視情報を記憶する。
【００４０】
装置間情報記憶部２３２は、前記装置間情報として、本実施形態では、通報先対応関係や通信アドレス対応関係等を記憶するものである。前記通報先対応関係は、センサ装置ＳＵから送信された第１監視情報通信信号やナースコール通報通信信号等の報知先（再報知先、転送先、送信先）を示す、送信元であるセンサＩＤと報知先である端末ＩＤとの対応関係である。前記通信アドレス対応関係は、各装置ＳＵ、ＳＰ、ＴＡのＩＤ（センサＩＤ、端末ＩＤ）とその通信アドレスとの対応関係である。端末ＩＤ（端末識別子）は、端末装置ＳＰ、ＴＡを特定し端末装置ＳＰ、ＴＡを識別するための識別子である。なお、センサＩＤ、サーバＩＤおよび端末ＩＤそれぞれは、例えば所定の記号列から成るシリアル番号等であって良く、また例えば通信アドレスであって良い（この場合通信アドレス対応関係は省略できる）。
【００４１】
受信数情報記憶部２３３は、前記受信数情報を記憶するものである。本実施形態では、センサ装置ＳＵは、４人の被監視者Ｏｂ−１〜Ｏｂ４をそれぞれ個別に監視するために、４個の第１ないし第４センサ装置ＳＵ−１〜ＳＵ−４を備えて構成されるので、受信数情報記憶部２３３は、さらにセンサ装置ＳＵ別に前記受信数を計数することで得られた受信数情報を記憶する。すなわち、受信数情報記憶部２３３は、第１ないし第４センサ装置ＳＵ−１〜ＳＵ−４の各センサＩＤごとに、前記行動検知アルゴリズム識別子に対応付けられた前記行動種類の行動種類名の受信数を前記行動検知アルゴリズム識別子別および前記行動種類名別に計数した計数結果を表す受信数情報を記憶する。このような受信数情報は、本実施形態では、第１ないし第４センサ装置ＳＵ−１〜ＳＵ−４の各センサＩＤごとに用意されたテーブルを用いたテーブル形式で受信数情報記憶部２３３に記憶される。より具体的には、受信数テーブルＲＴは、例えば、図４に示すように、縦方向に並ぶ各行２３３１を各アルゴリズムＩＤとし、横方向に並ぶ各列２３３２を各行動種類名とした２次元マトリクス状のテーブルであり、計数後の各受信数は、２次元マトリクスの各欄に登録される。より詳しくは、受信数テーブルＲＴは、第１ないし第４センサ装置ＳＵ−１〜ＳＵ−４の各センサＩＤそれぞれに対応付けられた４個の第１ないし第４受信数テーブルＲＴ−１〜ＲＴ−４を備えて構成されている。これら第１ないし第４受信数テーブルＲＴ−１〜ＲＴ−４は、同一構成であり、縦方向には、「起床アルゴリズム１」２３３１−１、「起床アルゴリズム２」２３３１−２、「起床アルゴリズム３」２３３１−３、「離床アルゴリズム１」２３３１−４、「離床アルゴリズム２」２３３１−５、「転落アルゴリズム１」２３３１−６、「転倒アルゴリズム１」２３３１−７および「転倒アルゴリズム２」２３３１−８の各行から成り、横方向には、「起床」２３３２−１、「離床」２３３２−２、「転落」２３３２−３、「転倒」２３３２−４および「その他」２３３２−５の各列から成る。例えば、図４では、第１センサ装置ＳＵ−１に対応付けられた受信数テーブルＲＴ−１において、第２行の「起床アルゴリズム２」２３３１−２と第１列の「起床」２３３２−１との交差する欄には、５が登録されている。これは、第１センサ装置ＳＵ−１において、起床アルゴリズム２に起床を対応付けた通信信号の受信数が５回であることを表している。また例えば、図４では、第１センサ装置ＳＵ−１に対応付けられた受信数テーブルＲＴ−１において、第２行の「起床アルゴリズム２」２３３１−２と第２列の「離床」２３３２−２との交差する欄には、１が登録されている。これは、第１センサ装置ＳＵ−１において、起床アルゴリズム２に離床を対応付けた通信信号の受信数が１回であることを表している。また例えば、図４では、第１センサ装置ＳＵ−１に対応付けられた受信数テーブルＲＴ−１において、第２行の「起床アルゴリズム２」２３３１−２と第５列の「その他」２３３２−５との交差する欄には、１が登録されている。これは、第１センサ装置ＳＵ−１において、起床アルゴリズム２にその他を対応付けた通信信号の受信数が１回であることを表している。なお、受信数テーブルＲＴにおける各欄の初期値は、０であり、デフォルト値として登録される。
【００４２】
行動種類名情報記憶部２３４は、前記行動種類名情報を記憶するものである。行動種類名情報記憶部２３４は、受信数情報記憶部２３３と同様に、さらにセンサＩＤ別に、前記行動検知アルゴリズム識別子と前記行動種類の行動種類名との対応関係の状況を表す行動種類名情報を記憶する。このような行動種類名情報は、本実施形態では、第１ないし第４センサ装置ＳＵ−１〜ＳＵ−４の各センサＩＤごとに用意されたテーブルを用いたテーブル形式で行動種類名情報記憶部２３４に記憶される。より具体的には、行動種類名テーブルＮＴは、例えば、図５に示すように、第１ないし第４センサ装置ＳＵ−１〜ＳＵ−４の各センサＩＤそれぞれに対応付けられた４個の第１ないし第４行動種類名テーブルＮＴ−１〜ＮＴ−４を備えて構成されている。これら第１ないし第４行動種類名テーブルＮＴ−１〜ＮＴ−４は、同一構成であり、アルゴリズムＩＤを登録するアルゴリズムＩＤフィールド２３４１、アルゴリズムＩＤフィールド２３４１に登録されているアルゴリズムＩＤに対応付けられた行動種類名を登録する行動種類名フィールド２３４２、および、アルゴリズムＩＤフィールド２３４１に登録されているアルゴリズムＩＤに行動種類名が対応付けられているか否かの対応付けの状況を登録する確定フラグフィールド２３４３の各フィールドを備え、アルゴリズムＩＤ別にレコードを持つ。行動種類名フィールド２３４２の初期値は、行動種類名が未対応であることを表す符号（図５では「−」で図示）または空欄である。確定フラグ「０」は、アルゴリズムＩＤフィールド２３４１に登録されているアルゴリズムＩＤに行動種類名が対応付けられていないことを表し、確定フラグ「１」は、アルゴリズムＩＤフィールド２３４１に登録されているアルゴリズムＩＤに行動種類名が対応付けられていることを表す。例えば、図５に示す例では、第２行目のアルゴリズムＩＤフィールド２３４１に登録されている「起床アルゴリズム２」は、確定フラグフィールド２３４３に「１」が登録されているので、対応付けが確定しており、行動種類名フィールド２３４２に「起床」が登録されているので、行動種類名として「起床」が最終的に対応付けられている。また例えば、図５に示す例では、第３行目のアルゴリズムＩＤフィールド２３４１に登録されている「起床アルゴリズム３」は、確定フラグフィールド２３４３に「０」が登録されているので、対応付けが未確定である。また例えば、図５に示す例では、第１行目のアルゴリズムＩＤフィールド２３４１に登録されている「起床アルゴリズム１」は、確定フラグフィールド２３４３に「１」が登録されているので、対応付けが確定しており、行動種類名フィールド２３４２に「その他」が登録されているので、行動種類名として「その他」が最終的に対応付けられている。
【００４３】
ＳＶ制御処理部２２は、管理サーバ装置ＳＶの各部を当該各部の機能に応じてそれぞれ制御し、センサ装置ＳＵから前記第１の報知を受信すると被監視者Ｏｂに対する監視に関する情報（監視情報）を管理し、前記第２の報知の実行として、前記第１の報知を所定の端末装置ＳＰ、ＴＡへ報知し、クライアント（本実施形態では端末装置ＳＰ、ＴＡ等）の要求に応じたデータを前記クライアントに提供し、被監視者監視システムＭＳ全体を管理するための回路である。ＳＶ制御処理部２２は、例えば、ＣＰＵおよびその周辺回路を備えて構成される。ＳＶ制御処理部２２は、前記制御処理プログラムが実行されることによって、サーバ側制御部（ＳＶ制御部）２２１、サーバ側監視報知処理部（ＳＶ監視報知処理部）２２２および計数処理部２２３を機能的に備える。
【００４４】
ＳＶ制御部２２１は、管理サーバ装置ＳＶの各部を当該各部の機能に応じてそれぞれ制御し、管理サーバ装置ＳＶの全体制御を司るものである。
【００４５】
ＳＶ監視報知処理部２２２は、センサ装置ＳＵから前記第１の報知を受信すると被監視者Ｏｂに対する監視に関する情報（監視情報）を管理する。より具体的には、ＳＶ監視報知処理部２２２は、センサ装置ＳＵから前記第１の報知として第１監視情報通信信号を受信すると、この受信した第１監視情報通信信号に収容された、被監視者Ｏｂに対する監視に関する監視情報をＳＶ監視情報記憶部２３１に記憶（記録）する。ＳＶ監視報知処理部２２２は、前記第２の報知の実行として、この受信した前記第１の報知を端末装置ＳＰ、ＴＡへ報知する。より具体的には、ＳＶ監視報知処理部２２２は、前記受信した第１監視情報通信信号を送信したセンサ装置ＳＵに対応する通報先（再通報先、転送先、送信先）を装置間情報記憶部２３２に記憶された前記通報先対応関係から選定（検索）し、この選定した端末装置ＳＰ、ＴＡへ第２監視情報通信信号を送信する。この選定（検索処理）は、前記受信した第１監視情報通信信号を送信したセンサ装置ＳＵに対応するセンサＩＤに基づいて実施される。前記第２監視情報通信信号には、第１監視情報通信信号に収容されたセンサＩＤ、前記所定の行動を検知した行動検知アルゴリズムに対応するアルゴリズムＩＤまたはこのアルゴリズムＩＤに対応する行動種類名、前記所定の行動の検知に用いられた画像、および、動画のダウンロード先として、第１監視情報通信信号に収容されたセンサＩＤを持つセンサ装置ＳＵに対応する通信アドレスが収容される。この通信アドレスは、前記受信した第１監視情報通信信号を送信したセンサ装置ＳＵに対応するセンサＩＤに基づいて通信アドレス対応関係から選定（検索）される。
【００４６】
計数処理部２２３は、アルゴリズムＩＤと前記アルゴリズムＩＤに対応付けられた前記行動種類の行動種類名を端末装置ＳＰ、ＴＡから受信した場合に、前記アルゴリズムＩＤに対応付けられた前記行動種類の行動種類名の受信数を前記アルゴリズムＩＤ別および前記行動種類名別に、本実施形態ではさらにセンサＩＤ別に、計数するものである。より具体的には、計数処理部２２３は、アルゴリズムＩＤと前記アルゴリズムＩＤに対応付けられた前記行動種類の行動種類名を、さらに本実施形態ではセンサＩＤを、端末装置ＳＰ、ＴＡから受信した場合に、受信数情報記憶部２３３に記憶された受信数テーブルＲＴ（ＲＴ−１〜ＲＴ−４）を用いて、前記アルゴリズムＩＤに対応付けられた前記行動種類の行動種類名の受信数を前記アルゴリズムＩＤ別、前記行動種類名別およびセンサＩＤ別に計数する。
【００４７】
本実施形態では、上述のＳＶ監視報知処理部２２２は、さらに、前記行動検知アルゴリズム識別子と前記行動検知アルゴリズム識別子に対応付けられた前記行動種類の行動種類名を端末装置ＳＰ、ＴＡから受信した後、この受信した前記行動検知アルゴリズム識別子に対応付けられた前記行動種類の行動種類名に基づいて、前記行動検知アルゴリズム識別子に代え行動種類名で、または、前記行動検知アルゴリズム識別子に追加して行動種類名で前記所定の行動の検知を端末装置ＳＰ、ＴＡへ報知する。より具体的には、ＳＶ監視報知処理部２２２は、計数処理部２２３でアルゴリズムＩＤ別、前記行動種類名別およびセンサＩＤ別に計数した前記受信数が所定の判定閾値に達した場合に、前記所定の判定閾値に達した受信数を持つアルゴリズムＩＤにおいて、前記アルゴリズムＩＤに代え前記所定の判定閾値に達した受信数に対応する行動種類名で、または、前記アルゴリズムＩＤに追加して前記所定の判定閾値に達した受信数に対応する行動種類名で前記所定の行動の検知を端末装置ＳＰ、ＴＡへ報知する。前記所定の判定閾値は、複数のサンプルを用いて、１以上の整数値で適宜な値に設定される。前記所定の判定閾値は、好ましくは、複数の行動検知アルゴリズムに対し、同一値であって良くまた異なった値であって良い（一部の行動検知アルゴリズムに対して同一値である場合を含む）。また好ましくは、前記所定の判定閾値は、複数のセンサ装置ＳＵ（センサＩＤ、ひいては被監視者Ｏｂ）に対し、同一値であって良くまた異なった値であって良い（一部のセンサ装置ＳＵに対して同一値である場合を含む）。したがって、計数処理部２２３でアルゴリズムＩＤ別、前記行動種類名別およびセンサＩＤ別に計数した前記受信数が所定の判定閾値に達していない場合では、当該センサＩＤを持つセンサ装置ＳＵで当該アルゴリズムＩＤを持つ行動検知アルゴリズム（行動検知プログラム）で所定の行動を検知した際、当該センサＩＤおよび当該アルゴリズムＩＤに対応する行動種類名が未対応であるので、前記第２監視情報通信信号には、前記所定の行動を検知した行動検知アルゴリズムに対応するアルゴリズムＩＤが収容される。一方、計数処理部２２３でアルゴリズムＩＤ別、前記行動種類名別およびセンサＩＤ別に計数した前記受信数が所定の判定閾値に達している場合では、当該センサＩＤを持つセンサ装置ＳＵで当該アルゴリズムＩＤを持つ行動検知アルゴリズム（行動検知プログラム）で所定の行動を検知した際、当該センサＩＤおよび当該アルゴリズムＩＤに対応する行動種類名が対応済みであるので、前記第２監視情報通信信号には、当該アルゴリズムＩＤに対応する行動種類名が収容される。
【００４８】
さらに、本実施形態では、ＳＶ監視報知処理部２２２は、計数処理部２２３でアルゴリズムＩＤ、前記行動種類名別およびセンサＩＤ別に計数した前記受信数が所定の判定閾値に達し、かつ、前記所定の判定閾値に達した受信数に対応する行動種類名が前記その他である場合、当該センサＩＤを持つセンサ装置ＳＵにおいて、前記行動種類名が前記その他で前記所定の判定閾値に達した受信数を持つ前記アルゴリズムＩＤの行動検知アルゴリズムで前記所定の行動を検知しても、前記所定の行動の検知を端末装置ＳＰ、ＴＡへ報知しない。
【００４９】
なお、管理サーバ装置ＳＶは、図３に破線で示すように、必要に応じて、さらに、ＳＶ制御処理部２２に接続され例えば各種コマンドや各種データ等を入力するサーバ側入力部（ＳＶ入力部）２４、ＳＶ入力部２４で入力された各種コマンドや各種データおよび被監視者Ｏｂに対する監視に関する監視情報等を出力するサーバ側出力部（ＳＶ出力部）２５、および、外部機器との間でデータの入出力を行うサーバ側インターフェース部（ＳＶＩＦ部）２６等を備えても良い。
【００５０】
このような管理サーバ装置ＳＶは、例えば、通信機能付きのコンピュータによって構成可能である。
【００５１】
なお、ＳＶ監視報知処理部２２２は、前記第２の報知の実行として、前記センサ装置から前記第１の報知を受信すると前記第１の報知を前記端末装置へ報知し、前記行動検知アルゴリズム識別子と前記行動検知アルゴリズム識別子に対応付けられた前記行動種類の行動種類名を前記端末装置から受信した後、前記受信した前記行動検知アルゴリズム識別子に対応付けられた前記行動種類の行動種類名に基づいて、前記行動検知アルゴリズム識別子に代え行動種類名で、または、前記行動検知アルゴリズム識別子に追加して行動種類名で前記所定の行動の検知を前記端末装置へ報知する第２報知処理部の一例である。したがって、ＳＶ監視報知処理部２２２は、前記第１報知処理部の一例であるＳＵ報知処理部１４３とで、前記全ての行動検知アルゴリズムについて、前記検知処理部の前記検知処理の結果、当該行動検知アルゴリズムで前記所定の行動を検知した場合に、前記行動検知アルゴリズム識別子情報記憶部に記憶された、当該行動検知アルゴリズムに対応する行動検知アルゴリズム識別子で前記所定の行動の検知を前記被監視者に関わる画像と共に前記端末装置へ報知し、前記行動検知アルゴリズム識別子と前記行動検知アルゴリズム識別子に対応付けられた前記行動種類の行動種類名を前記端末装置から受信した後、前記受信した前記行動検知アルゴリズム識別子に対応付けられた前記行動種類の行動種類名に基づいて、前記行動検知アルゴリズム識別子に代え行動種類名で、または、前記行動検知アルゴリズム識別子に追加して行動種類名で前記所定の行動の検知を前記端末装置へ報知する報知処理部の一例を構成する。
【００５２】
固定端末装置ＳＰは、ネットワークＮＷを介して他の装置ＳＵ、ＳＶ、ＴＡと通信する通信機能、所定の情報を表示する表示機能、および、所定の指示やデータを入力する入力機能等を備え、管理サーバ装置ＳＶや携帯端末装置ＴＡに与える所定の指示やデータを入力したり、センサ装置ＳＵで得られた監視情報を表示したり等することによって、被監視者監視システムＭＳのユーザインターフェース（ＵＩ）として機能する機器である。このような固定端末装置ＳＰは、例えば、通信機能付きのコンピュータによって構成可能である。なお、前記端末装置の一例としての固定端末装置ＳＰは、携帯端末装置ＴＡと同様に動作するが、本明細書では、前記端末装置の他の一例である携帯端末装置ＴＡについて説明される。
【００５３】
携帯端末装置ＴＡは、ネットワークＮＷを介して他の装置ＳＶ、ＳＰ、ＳＵと通信する通信機能、所定の情報を表示する表示機能、所定の指示やデータを入力する入力機能、および、音声通話を行う通話機能等を備え、管理サーバ装置ＳＶやセンサ装置ＳＵに与える所定の指示やデータを入力したり、管理サーバ装置ＳＶからの通報によってセンサ装置ＳＵで得られた監視情報（動画を含む）を表示したり、センサ装置ＳＵとの間で音声通話によってナースコールの応答や声かけしたり、被監視者Ｏｂに対する前記監視情報を受け付けて表示しアルゴリズムＩＤと行動種類名との対応付けの入力を受け付けて管理サーバ装置ＳＶへ返信したり等するための機器である。このような携帯端末装置ＴＡは、本実施形態では、例えば、図６に示すように、端末側通信インターフェース部（ＴＡ通信ＩＦ部）３１と、端末側制御処理部（ＴＡ制御処理部）３２と、端末側記憶部（ＴＡ記憶部）３３と、端末側音入出力部（ＴＡ音入出力部）３４と、端末側入力部（ＴＡ入力部）３５と、端末側表示部（ＴＡ表示部）３６と、端末側インターフェース部（ＴＡＩＦ部）３７とを備える。
【００５４】
ＴＡ音入出力部３４は、ＴＡ制御処理部３２に接続され、外部の音を取得して携帯端末装置ＴＡに入力するための回路であって、ＴＡ制御処理部３２の制御に従って音を表す電気信号に応じた音を生成して出力するための回路である。ＴＡ音入出力部３４は、ＳＵ音入出力部１２と同様に、例えば、音響振動を電気信号に変換するマイクロホン等と、音の電気信号を音の音響振動に変換するスピーカ等とを備えて構成される。ＴＡ音入出力部３４は、外部の音を表す電気信号をＴＡ制御処理部３２へ出力し、また、ＴＡ制御処理部３２から入力された電気信号を音の音響振動に変換して出力する。
【００５５】
ＴＡ入力部３５は、ＴＡ制御処理部３２に接続され、例えば、所定の操作を受け付け、携帯端末装置ＴＡに入力する回路であり、例えば、所定の機能を割り付けられた複数の入力スイッチ等である。前記所定の操作には、例えば、ログインするためのＩＤの入力操作や、音声通話の要求操作およびその終了操作や、ライブでの動画の要求操作およびその終了操作や、前記報知された被監視者Ｏｂに対する例えば救命、看護、介護および介助等の対応（対処、応対）を実行する意思がある旨（“対応する”）の入力操作等の、監視する上で必要な各種操作等が含まれる。ＴＡ表示部３６は、ＴＡ制御処理部３２に接続され、ＴＡ制御処理部３２の制御に従って、ＴＡ入力部３５から入力された所定の操作内容や、被監視者監視システムＭＳによって監視されている被監視者Ｏｂに対する監視に関する前記監視情報（例えばセンサ装置ＳＵで検知した所定の行動の種類や被監視者Ｏｂの画像（静止画および動画）等）やナースコールの受付等を表示する回路であり、例えばＬＣＤ（液晶ディスプレイ）および有機ＥＬディスプレイ等の表示装置である。本実施形態では、ＴＡ入力部３５およびＴＡ表示部３６からタッチパネルが構成されている。この場合において、ＴＡ入力部３５は、例えば抵抗膜方式や静電容量方式等の操作位置を検出して入力する位置入力デバイスである。このタッチパネルでは、ＴＡ表示部３６の表示面上に位置入力デバイスが設けられ、ＴＡ表示部３６に入力可能な１または複数の入力内容の候補が表示され、例えば看護師や介護士等のユーザ（監視者）が、入力したい入力内容を表示した表示位置を触れると、位置入力デバイスによってその位置が検出され、検出された位置に表示された表示内容がユーザの操作入力内容として携帯端末装置ＴＡに入力される。
【００５６】
ＴＡＩＦ部３７は、ＴＡ制御処理部３２に接続され、ＴＡ制御処理部３２の制御に従って、外部機器との間でデータの入出力を行う回路であり、例えば、Ｂｌｕｅｔｏｏｔｈ（登録商標）規格を用いたインターフェース回路、ＩｒＤＡ規格等の赤外線通信を行うインターフェース回路、および、ＵＳＢ規格を用いたインターフェース回路等である。
【００５７】
ＴＡ通信ＩＦ部３１は、ＳＵ通信ＩＦ部１５と同様に、ＴＡ制御処理部３２に接続され、ＴＡ制御処理部３２の制御に従って通信を行うための通信回路である。ＴＡ通信ＩＦ部３１は、ＴＡ制御処理部３２から入力された転送すべきデータを収容した通信信号を、この被監視者監視システムＭＳのネットワークＮＷで用いられる通信プロトコルに従って生成し、この生成した通信信号をネットワークＮＷを介して他の装置ＳＵ、ＳＶ、ＳＰへ送信する。ＴＡ通信ＩＦ部３１は、ネットワークＮＷを介して他の装置ＳＵ、ＳＶ、ＳＰから通信信号を受信し、この受信した通信信号からデータを取り出し、この取り出したデータをＴＡ制御処理部３２が処理可能な形式のデータに変換してＴＡ制御処理部３２へ出力する。ＴＡ通信ＩＦ部３１は、例えば、ＩＥＥＥ８０２．１１規格等に従った通信インターフェース回路を備えて構成される。
【００５８】
ＴＡ記憶部３３は、ＴＡ制御処理部３２に接続され、ＴＡ制御処理部３２の制御に従って、各種の所定のプログラムおよび各種の所定のデータを記憶する回路である。前記各種の所定のプログラムには、例えば、携帯端末装置ＴＡの各部を当該各部の機能に応じてそれぞれ制御するＴＡ制御プログラムや、被監視者Ｏｂに対する監視に関する所定の情報処理を実行するＴＡ監視処理プログラム等の制御処理プログラムが含まれる。前記ＴＡ監視処理プログラムには、管理サーバ装置ＳＶから前記第２の報知を受信すると被監視者Ｏｂに対する監視に関する情報（監視情報）を記憶（記録）し、アルゴリズムＩＤで前記所定の行動の検知を被監視者Ｏｂに関わる画像と共に受信した場合に、この受信した前記アルゴリズムＩＤおよび被監視者Ｏｂに関わる画像をＴＡ表示部３６に表示するＴＡ監視表示処理プログラムや、前記行動種類の行動種類名をＴＡ入力部３５から入力された場合に、この入力された前記行動種類の行動種類名をＴＡ表示部３６に表示した前記アルゴリズムＩＤに対応付けて、ＴＡ表示部３６に表示した前記アルゴリズムＩＤと前記入力された前記行動種類の行動種類名とを管理サーバ装置ＳＶへ返信する行動種類名通知処理プログラムや、ＴＡ音入出力部１２等を用いることでセンサ装置ＳＵとの間で音声通話を行うＴＡナースコール処理プログラムや、センサ装置ＳＵから動画の配信を受け、前記配信を受けた動画をストリーミング再生でＴＡ表示部３６に表示するストリーミング処理プログラム等が含まれる。前記各種の所定のデータでは、自機の端末ＩＤ、ＴＡ表示部３６に表示される画面情報、および、被監視者Ｏｂに対する監視に関する前記監視情報等の各プログラムを実行する上で必要なデータ等が含まれる。ＴＡ記憶部３３は、例えばＲＯＭやＥＥＰＲＯＭ等を備える。ＴＡ記憶部３３は、前記所定のプログラムの実行中に生じるデータ等を記憶するいわゆるＴＡ制御処理部３２のワーキングメモリとなるＲＡＭ等を含む。ＴＡ記憶部３３は、前記監視情報を記憶するための端末側監視情報記憶部（ＴＡ監視情報記憶部）３３１を機能的に備える。
【００５９】
ＴＡ監視情報記憶部３３１は、前記監視情報として、本実施形態では、管理サーバ装置ＳＶから受信した第２監視情報通信信号に収容されたセンサＩＤ、アルゴリズムＩＤまたは行動種類名、画像、動画のダウンロード先のセンサ装置ＳＵの通信アドレス、および、当該第２監視情報通信信号の受信時刻等を互いに対応付けて記憶するものである。そして、本実施形態では、ＴＡ監視情報記憶部３３１は、センサ装置ＳＵから管理サーバ装置ＳＶを介して受信したナースコール通報通信信号に収容されたナースコール受付情報、センサＩＤおよび当該ナースコール通報通信信号の受信時刻等の、被監視者Ｏｂの監視に関し、各装置ＳＵ、ＳＶ、ＴＡそれぞれとの間で送受信した被監視者Ｏｂの監視情報を記憶する。
【００６０】
ＴＡ制御処理部３２は、携帯端末装置ＴＡの各部を当該各部の機能に応じてそれぞれ制御し、被監視者Ｏｂに対する前記監視情報を受け付けて表示し、アルゴリズムＩＤと行動種類名との対応付けの入力を受け付けて管理サーバ装置ＳＶへ返信し、ナースコールの応答や声かけするための回路である。ＴＡ制御処理部３２は、例えば、ＣＰＵおよびその周辺回路を備えて構成される。ＴＡ制御処理部３２は、制御処理プログラムが実行されることによって、端末側制御部（ＴＡ制御部）３２１、端末側監視表示処理部（ＴＡ監視表示処理部）３２２、行動種類名通知処理部３２３、端末側ナースコール処理部（ＴＡナースコール処理部）３２４および端末側ストリーミング処理部（ＴＡストリーミング処理部）３２５を機能的に備える。
【００６１】
ＴＡ制御部３２１は、携帯端末装置ＴＡの各部を当該各部の機能に応じてそれぞれ制御し、携帯端末装置ＴＡの全体制御を司るものである。
【００６２】
ＴＡ監視表示処理部３２２は、被監視者Ｏｂに対する監視に関する所定の情報処理を実行するものである。より具体的には、ＴＡ監視表示処理部３２２は、管理サーバ装置ＳＶから第２監視情報通信信号を受信した場合に、この受信した第２監視情報通信信号に収容された各情報（各データ）に基づき、被監視者Ｏｂに対する監視に関する監視情報をＴＡ監視情報記憶部３３１に記憶（記録）する。ＴＡ監視表示処理部３２２は、前記受信した第２監視情報通信信号に収容された各情報に応じた画面をＴＡ表示部３６に表示する。一例では、ＴＡ監視表示処理部３２２は、アルゴリズムＩＤで前記所定の行動の検知を被監視者Ｏｂに関わる画像と共に受信した場合に、この受信したアルゴリズムＩＤおよび被監視者Ｏｂに関わる画像をＴＡ表示部３６に表示する。ＴＡ監視表示処理部３２２は、ＴＡ入力部３５から所定の入力操作を受け付けると、その入力操作に応じた所定の処理を実行する。
【００６３】
行動種類名通知処理部３２３は、前記行動種類の行動種類名をＴＡ入力部３５から入力された場合に、この入力された前記行動種類の行動種類名をＴＡ表示部に表示したアルゴリズムＩＤに対応付けて、ＴＡ表示部に表示した前記アルゴリズムＩＤと前記入力された前記行動種類の行動種類名とを管理サーバ装置ＳＶへ返信するものである。
【００６４】
ＴＡナースコール処理部３２４は、ＴＡ音入出力部３４等を用いることでセンサ装置ＳＵとの間で音声通話を行うものである。より具体的には、ＴＡナースコール処理部３２４は、ＴＡ音入出力部３４等を用い、ナースコール通報通信信号を管理サーバ装置ＳＶへ送信した送信元のセンサ装置ＳＵとの間で例えばＶｏＩＰによって音声通話を行う。
【００６５】
ＴＡストリーミング処理部３２５は、センサ装置ＳＵから動画の配信を受け、前記配信を受けた動画をストリーミング再生でＴＡ表示部３６に表示するものである。
【００６６】
このような携帯端末装置ＴＡは、例えば、いわゆるタブレット型コンピュータやスマートフォンや携帯電話機等の、持ち運び可能な通信端末装置によって構成可能である。
【００６７】
次に、本実施形態の動作について説明する。図７は、実施形態の被監視者監視システムにおけるセンサ装置の動作を示すフローチャートである。図８は、実施形態の被監視者監視システムにおける管理サーバ装置の動作を示すフローチャートである。図９は、図８に示すフローチャートにおける第１監視情報処理の動作を示すフローチャートである。図１０は、図８に示すフローチャートにおける行動種類名処理の動作を示すフローチャートである。図１１は、実施形態の被監視者監視システムにおける携帯端末装置の動作を示すフローチャートである。図１２は、実施形態の被監視者監視システムにおける携帯端末装置に表示される待受け画面の一例を示す図である。図１３は、実施形態の被監視者監視システムにおける携帯端末装置に表示される、アルゴリズムＩＤに応じた第１監視情報画面の一例を示す図である。図１４は、実施形態の被監視者監視システムにおける携帯端末装置に表示される、行動種名に応じた第２監視情報画面の一例を示す図である。
【００６８】
このような被監視者監視システムＭＳでは、各装置ＳＵ、ＳＶ、ＳＰ、ＴＡは、電源が投入されると、必要な各部の初期化を実行し、その稼働を始める。センサ装置ＳＵでは、その制御処理プログラムの実行によって、ＳＵ制御処理部１４には、ＳＵ制御部１４１、行動検知処理部１４２、ＳＵ報知処理部１４３、ＳＵナースコール処理部１４４およびＳＵストリーミング処理部１４５が機能的に構成される。管理サーバ装置ＳＶでは、その制御処理プログラムの実行によって、ＳＶ制御処理部２２には、ＳＶ制御部２２１、ＳＶ監視報知処理部２２２および計数処理部２２３が機能的に構成される。携帯端末装置ＴＡでは、その制御処理プログラムの実行によって、ＴＡ制御処理部３２には、ＴＡ制御部３２１、ＴＡ監視表示処理部３２２、行動種類名通知処理部３２３、ＴＡナースコール処理部３２４およびＴＡストリーミング処理部３２５が機能的に構成される。
【００６９】
本実施形態における被監視者監視システムＭＳでは、被監視者Ｏｂの所定の行動における各行動種類それぞれについて、１または複数の行動検知アルゴリズム（行動検知プログラム）が予め用意されており、上記被監視者監視システムＭＳは、これら各行動検知アルゴリズムそれぞれについて、当該行動検知アルゴリズムで特定の被監視者Ｏｂに対し実際に検知できる行動種類名を実情に合わせて自動的に当該行動検知アルゴリズムに対応付ける。そのために、上記被監視者監視システムＭＳの動作を概括すると、第１段階では、或る行動検知アルゴリズムで前記所定の行動が検知されると、検知結果が前記或る行動検知アルゴリズムのアルゴリズムＩＤで画像と共にセンサ装置ＳＵから管理サーバ装置ＳＶを介して端末装置ＳＰ、ＴＡ（ここでは、上述したように代表的に携帯端末装置ＴＡ）へ報知され、監視者は、前記画像を参照することによってアルゴリズムＩＤで報知された検知結果に行動種類名を携帯端末装置ＴＡに入力し、携帯端末装置ＴＡは、この入力された行動種類名を前記アルゴリズムＩＤに対応付けて管理サーバ装置ＳＶへ通知する。管理サーバ装置ＳＶは、このような通知を１または複数受信すると、アルゴリズムＩＤと行動種類名との最終的な対応付けを決定する。このような最終的な対応付けが、センサ装置ＳＵ（センサＩＤ）別に（すなわち、被監視者Ｏｂ別に）、かつ、行動検知アルゴリズム（アルゴリズムＩＤ）別に、個々に、行われる。そして、次の第２段階では、この最終的な対応付けが決定されたアルゴリズムＩＤから順次に、管理サーバ装置ＳＶは、センサ装置ＳＵからアルゴリズムＩＤで検知結果が報知されると、前記最終的な対応付けに応じてアルゴリズムＩＤを行動種類名へ変換し、この変換した行動種類名で端末装置ＳＰ、ＴＡへ報知する。このような動作によって、本実施形態における被監視者監視システムＭＳ等は、被監視者Ｏｂの個性（特性）に応じて自動的にカスタマイズできる。
【００７０】
より詳しくは、センサ装置ＳＵ、管理サーバ装置ＳＶおよび端末装置ＳＰ、ＴＡ（ここでは代表的に携帯端末装置ＴＡ）は、次のように動作している。
【００７１】
まず、センサ装置ＳＵの動作について説明する。センサ装置ＳＵは、各フレームごとに、あるいは、数フレームおきに、次のように動作することで、被監視者Ｏｂにおける所定の動作を検知している。
【００７２】
図７において、まず、センサ装置ＳＵは、ＳＵ制御処理部１４のＳＵ制御部１４１によって、撮像部１１から１フレーム分の画像（画像データ）を取得する（Ｓ１１）。
【００７３】
次に、センサ装置ＳＵは、ＳＵ制御処理部１４の行動検知処理部１４２によって、アルゴリズム情報記憶部１６１に記憶されている行動検知アルゴリズム（行動検知プログラム）を用いることによって、被監視者Ｏｂにおける所定の行動を検知する前記検知処理を前記取得した画像に基づいて実行する（Ｓ１２）。
【００７４】
次に、センサ装置ＳＵは、ＳＵ制御処理部１４の行動検知処理部１４２によって、アルゴリズム情報記憶部１６１に記憶されている全ての行動検知アルゴリズムについて、前記検知処理を実行したか否かを判定する（Ｓ１３）。この判定の結果、前記全ての行動検知アルゴリズムについて前記検知処理が実行されていない場合（Ｎｏ）には、センサ装置ＳＵは、行動検知処理部１４２によって処理を処理Ｓ１２に戻し、一方、前記全ての行動検知アルゴリズムについて前記検知処理が実行されている場合（Ｙｅｓ）には、センサ装置ＳＵは、次の処理Ｓ１４を実行する。
【００７５】
このような処理Ｓ１２および処理Ｓ１３によって、アルゴリズム情報記憶部１６１に記憶されている全ての行動検知アルゴリズム（行動検知プログラム）を用いて前記検知処理が実行される。より具体的には、本実施形態では、前記処理Ｓ１２および処理Ｓ１３によって、行動検知処理部１４２は、第１に、起床検知プログラム１を用いて前記検知処理を実行し、第２に、起床検知プログラム２を用いて前記検知処理を実行し、第３に、起床検知プログラム３を用いて前記検知処理を実行し、第４に、離床検知プログラム１を用いて前記検知処理を実行し、第５に、離床検知プログラム２を用いて前記検知処理を実行し、第６に、転落検知プログラムを用いて前記検知処理を実行し、第７に、転倒検知プログラム１を用いて前記検知処理を実行し、そして、第８に、転倒検知プログラム２を用いて前記検知処理を実行する。
【００７６】
処理Ｓ１４では、センサ装置ＳＵは、ＳＵ制御処理部１４のＳＵ報知処理部１４３によって、前記Ｓ１２および処理Ｓ１３によって、被監視者Ｏｂにおける所定の行動が検知されたか否かを判定する。この判定の結果、前記行動が検知されていない場合（Ｎｏ）には、センサ装置ＳＵは、本処理を終了し、一方、前記行動が検知されている場合（Ｙｅｓ）には、センサ装置ＳＵは、次の処理Ｓ１５を実行した後に、本処理を終了する。
【００７７】
この処理Ｓ１５では、センサ装置ＳＵは、処理Ｓ１３による検知結果を管理サーバ装置ＳＶを介して端末装置ＳＰ、ＴＡへ報知すべく、ＳＵ報知処理部１４３によって、自機のセンサＩＤ、前記Ｓ１２および処理Ｓ１３で前記所定の行動を検知した行動検知アルゴリズムに対応するアルゴリズムＩＤ、前記Ｓ１２および処理Ｓ１３で前記所定の行動の検知に用いられた画像を収容した第１監視情報通信信号をＳＵ通信ＩＦ部１５を介して管理サーバ装置ＳＶへ送信する。より具体的には、例えば、前記Ｓ１２および処理Ｓ１３で起床検知アルゴリズム２で前記所定の行動が検知された場合には、ＳＵ報知処理部１４３は、自機のセンサＩＤ、起床検知アルゴリズム２のアルゴリズムＩＤ（起床アルゴリズム２）および前記起床検知アルゴリズム２が用いた画像を収容した第１監視情報通信信号を生成し、この生成した第１監視情報通信信号をＳＵ通信ＩＦ部１５を介して管理サーバ装置ＳＶへ送信する。また例えば、前記Ｓ１２および処理Ｓ１３で起床検知アルゴリズム１で前記所定の行動が検知され、さらに、離床検知アルゴリズム１で前記所定の行動が検知された場合には、ＳＵ報知処理部１４３は、自機のセンサＩＤ、起床検知アルゴリズム１のアルゴリズムＩＤ（起床アルゴリズム１）、離床検知アルゴリズム１のアルゴリズムＩＤ（離床アルゴリズム１）および前記起床検知アルゴリズム１が用いた画像（すなわち、前記離床検知アルゴリズムも用いた画像）を収容した第１監視情報通信信号を生成し、この生成した第１監視情報通信信号をＳＵ通信ＩＦ部１５を介して管理サーバ装置ＳＶへ送信する。なお、この場合では、ＳＵ報知処理部１４３は、自機のセンサＩＤ、起床検知アルゴリズム１のアルゴリズムＩＤおよび前記起床検知アルゴリズム１が用いた画像を収容した第１監視情報通信信号Ａを生成し、この生成した第１監視情報通信信号ＡをＳＵ通信ＩＦ部１５を介して管理サーバ装置ＳＶへ送信し、そして、ＳＵ報知処理部１４３は、自機のセンサＩＤ、離床検知アルゴリズム１のアルゴリズムＩＤおよび前記離床検知アルゴリズム１が用いた画像を収容した第１監視情報通信信号Ｂを生成し、この生成した第１監視情報通信信号ＢをＳＵ通信ＩＦ部１５を介して管理サーバ装置ＳＶへ送信しても良い。このようにセンサ装置ＳＵは、ＳＵ報知処理部１４３によって、各行動検知アルゴリズムごとに個別に検知結果を管理サーバ装置ＳＶへ送信して良く、また、複数の行動検知アルゴリズムの各検知結果を纏めて管理サーバ装置ＳＶへ送信して良い。
【００７８】
被監視者Ｏｂの個性（特性）に応じた自動的なカスタマイズに関し、センサ装置ＳＵは、以上のように動作している。
【００７９】
次に、管理サーバ装置ＳＶの動作について説明する。一方、図８において、管理サーバ装置ＳＶは、ＳＶ制御処理部２２のＳＶ制御部２２１によって、ＳＶ通信ＩＦ部２１で通信信号を受信したか否かを判定する（Ｓ２１）。この判定の結果、通信信号を受信していない場合（Ｎｏ）には、管理サーバ装置ＳＶは、処理をＳ２１に戻し、前記判定の結果、通信信号を受信している場合（Ｙｅｓ）には、管理サーバ装置ＳＶは、次の処理Ｓ２２を実行する。すなわち、管理サーバ装置ＳＶは、通信信号の受信を待ち受けている。
【００８０】
処理Ｓ２２では、管理サーバ装置ＳＶは、ＳＶ制御部２２１によって、この受信した通信信号の種類を判定する。この判定の結果、管理サーバ装置ＳＶは、前記受信した通信信号が第１監視情報通信信号である場合（第１監視情報）には、処理Ｓ２３を実行した後に処理Ｓ２６を実行し、前記受信した通信信号が行動種類名通知通信信号である場合（行動種類名通知）には、処理Ｓ２４を実行した後に処理Ｓ２６を実行し、そして、前記受信した通信信号がこれら第１監視情報通信信号および行動種類名通知通信信号ではない場合（その他）には、処理Ｓ２５を実行した後に処理Ｓ２６を実行する。なお、携帯端末装置ＴＡによる行動種類名通知通信信号の送信については、図１１を用いて後述する。
【００８１】
処理Ｓ２３では、管理サーバ装置ＳＶは、ＳＶ制御処理部２２のＳＶ監視報知処理部２２２によって、処理Ｓ２１でセンサ装置ＳＵから受信した第１監視情報通信信号を処理する第１監視情報処理を実行する。この第１監視情報処理は、より具体的には、図９に示す各処理を備える。図９において、まず、ＳＶ監視報知処理部２２２は、処理Ｓ２１でセンサ装置ＳＵから受信した第１監視情報通信信号に収容された、被監視者Ｏｂに対する監視に関する監視情報をＳＶ監視情報記憶部２３１に記憶（記録）する（Ｓ２３１）。
【００８２】
次に、ＳＶ監視報知処理部２２２は、処理Ｓ２１で受信した第１監視情報通信信号に収容されたアルゴリズムＩＤに対応する行動種類名が確定しているか否かを判定する（Ｓ２３２）。より具体的には、ＳＶ監視報知処理部２２２は、行動種類名情報記憶部２３４にセンサＩＤごとに記憶されている全ての行動種類名テーブルＮＴの中から、処理Ｓ２１で受信した第１監視情報通信信号に収容されたセンサＩＤに対応する行動種類名テーブルＮＴを選定し、この選定した行動種類名テーブルＮＴの中から、処理Ｓ２１で受信した第１監視情報通信信号に収容されたアルゴリズムＩＤに対応するレコードを選定し、この選定したレコードの確定フラグフィールド２３４３に登録されている確定フラグを取り出し、そして、この取り出した確定フラグが「０」か「１」かを判定する。この判定の結果、確定フラグが「０」の場合には、処理Ｓ２１で受信した第１監視情報通信信号に収容されたアルゴリズムＩＤに対応する行動種類名が確定していないと判定され（Ｎｏ）、ＳＶ監視報知処理部２２２は、次の処理Ｓ２３３を実行した後に、本処理（処理Ｓ２３）を終了する。一方、前記判定の結果、確定フラグが「１」の場合には、処理Ｓ２１で受信した第１監視情報通信信号に収容されたアルゴリズムＩＤに対応する行動種類名が確定していると判定され（Ｙｅｓ）、ＳＶ監視報知処理部２２２は、次の処理Ｓ２３４を実行する。
【００８３】
この処理Ｓ２３３では、アルゴリズムＩＤに対応する行動種類名が確定していないので、アルゴリズムＩＤで検知結果を端末装置ＳＰ、ＴＡに送信するべく、管理サーバ装置ＳＶは、ＳＶ監視報知処理部２２２によって、アルゴリズムＩＤで所定の端末装置ＳＰ、ＴＡ宛に第２監視情報通信信号を生成し、この生成した第２監視情報通信信号をＳＶ通信ＩＦ部２１を介して送信する。より具体的には、ＳＶ監視報知処理部２２２は、処理Ｓ２１で受信した第１監視情報通信信号を送信したセンサ装置ＳＵ（すなわち、前記第１監視情報通信信号に収容されたセンサＩＤ）に対応する通報先（再通報先、転送先、送信先）を装置間情報記憶部２３２に記憶された前記通報先対応関係から選定（検索）し、この選定した端末装置ＳＰ、ＴＡ宛に、第１監視情報通信信号に収容されたセンサＩＤ、アルゴリズムＩＤおよび画像、ならびに、動画のダウンロード先として、第１監視情報通信信号に収容されたセンサＩＤを持つセンサ装置ＳＵに対応する通信アドレスを収容した第２監視情報通信信号を生成し、この生成した第２監視情報通信信号をＳＶ通信ＩＦ部２１を介して送信する。
【００８４】
一方、処理Ｓ２３４では、管理サーバ装置ＳＶは、ＳＶ監視報知処理部２２２によって、アルゴリズムＩＤに対して確定している行動種類名が「その他」であるか否かを判定する。より具体的には、ＳＶ監視報知処理部２２２は、処理Ｓ２３２で選定したレコードの行動種類名フィールド２３４２に登録されている行動種類名を取り出し、そして、この取り出した行動種類名が「その他」か否かを判定する。
【００８５】
この判定の結果、前記取り出した行動種類名が「その他」ではない場合（Ｎｏ）には、行動種類名で検知結果を端末装置ＳＰ、ＴＡに送信するべく、管理サーバ装置ＳＶは、ＳＶ監視報知処理部２２２によって、処理Ｓ２３２で取り出した行動種類名で所定の端末装置ＳＰ、ＴＡ宛に第２監視情報通信信号を生成し、この生成した第２監視情報通信信号をＳＶ通信ＩＦ部２１を介して送信し（Ｓ２３５）、本処理（処理Ｓ２３）を終了する。より具体的には、ＳＶ監視報知処理部２２２は、処理Ｓ２１で受信した第１監視情報通信信号を送信したセンサ装置ＳＵ（すなわち、前記第１監視情報通信信号に収容されたセンサＩＤ）に対応する通報先（再通報先、転送先、送信先）を装置間情報記憶部２３２に記憶された前記通報先対応関係から選定（検索）し、この選定した端末装置ＳＰ、ＴＡ宛に、第１監視情報通信信号に収容されたセンサＩＤ、処理Ｓ２３４で取り出した行動種類名（すなわち、第１監視情報通信信号に収容されたセンサＩＤおよびアルゴリズムＩＤに最終的に対応付けられた行動種類名）、第１監視情報通信信号に収容された画像、および、動画のダウンロード先として、第１監視情報通信信号に収容されたセンサＩＤを持つセンサ装置ＳＵに対応する通信アドレスを収容した第２監視情報通信信号を生成し、この生成した第２監視情報通信信号をＳＶ通信ＩＦ部２１を介して送信し、本処理（処理Ｓ２３）を終了する。なお、上述では、第２監視情報通信信号には、アルゴリズムＩＤに代え行動種類名が収容されたが、アルゴリズムＩＤに追加して行動種類名が収容されても良い。
【００８６】
一方、前記処理Ｓ２３４における判定の結果、前記取り出した行動種類名が「その他」である場合（Ｙｅｓ）には、ＳＶ監視報知処理部２２２は、本処理（処理Ｓ２３）を終了する。すなわち、ＳＶ監視報知処理部２２２は、前記処理Ｓ２１で受信した第１監視情報通信信号に対応した上述の第２監視情報通信信号を生成せずに、本処理（処理Ｓ２３）を終了する。したがって、前記処理Ｓ２１で受信した第１監視情報通信信号に対応した上述の第２監視情報通信信号は、端末装置ＳＰ、ＴＡに送信されない。
【００８７】
以上のように処理Ｓ２３の第１監視情報処理が実行される。
【００８８】
一方、前記処理Ｓ２４では、管理サーバ装置ＳＶは、ＳＶ制御処理部２２の計数処理部２２３およびＳＶ監視報知処理部２２２によって、処理Ｓ２１で携帯端末装置ＴＡから受信した行動種類名通知通信信号を処理する行動種類名処理を実行する。この行動種類名処理は、より具体的には、図１０に示す各処理を備える。図１０において、まず、計数処理部２２３は、処理Ｓ２１で携帯端末装置ＴＡから受信した行動種類名通知通信信号に収容されたセンサＩＤ、アルゴリズムＩＤおよび行動種類名に基づいて、センサＩＤ別、かつ、アルゴリズムＩＤ別、かつ、行動種類名別に、受信数情報記憶部２３３に記憶される受信数テーブルＲＴを用いて、行動種類名通知通信信号の受信数を計数する（Ｓ２４１）。より具体的には、計数処理部２２３は、受信数情報記憶部２３３にセンサＩＤごとに記憶されている全ての受信数テーブルＲＴの中から、処理Ｓ２１で受信した行動種類名通知通信信号に収容されたセンサＩＤに対応する受信数テーブルＲＴを選定し、この選定した受信数テーブルＲＴにおいて、処理Ｓ２１で受信した行動種類名通知通信信号に収容されたアルゴリズムＩＤに対応する行２３３１と、処理Ｓ２１で受信した行動種類名通知通信信号に収容された行動種類名に対応する列２３３２とに対応する欄に、数値１を加算する（数値１でインクリメントする、受信数←受信数＋１）。
【００８９】
次に、管理サーバ装置ＳＶは、ＳＶ制御処理部２２のＳＶ監視報知処理部２２２によって、計数処理部２２３による処理Ｓ２４１の加算結果における受信数が判定閾値に達したか否かを判定する（Ｓ２４２）。この判定の結果、前記受信数が判定閾値に達していない場合（Ｎｏ）には、管理サーバ装置ＳＶは、本処理（処理Ｓ２４）を終了し、一方、前記受信数が判定閾値に達している場合（Ｙｅｓ）には、管理サーバ装置ＳＶは、次の処理Ｓ２４３を実行した後に、本処理（処理Ｓ２４）を終了する。
【００９０】
この処理Ｓ２４３では、管理サーバ装置ＳＶは、ＳＶ監視報知処理部２２２によって、処理Ｓ２４１および処理Ｓ２４２で前記受信数が判定閾値に達した行動種類名に関し、その行動種類名を確定する。より具体的には、ＳＶ監視報知処理部２２２は、行動種類名情報記憶部２３４にセンサＩＤごとに記憶されている全ての行動種類名テーブルＮＴの中から、処理Ｓ２４１および処理Ｓ２４２で用いた受信数テーブルＲＴに対応付けられているセンサＩＤ（本実施形態では、処理Ｓ２１で受信した行動種類名通知通信信号に収容されたセンサＩＤ）に対応する行動種類名テーブルＮＴを選定し、この選定した行動種類名テーブルＮＴの中から、処理Ｓ２４２で前記受信数が判定閾値に達したアルゴリズムＩＤ（本実施形態では、処理Ｓ２１で受信した行動種類名通知通信信号に収容されたアルゴリズムＩＤ）に対応するレコードを選定し、この選定したレコードの行動種類名フィールド２３４２に、処理Ｓ２４２で前記受信数が判定閾値に達した行動種類名（本実施形態では、処理Ｓ２１で受信した行動種類名通知通信信号に収容された行動種類名）を登録するとともに、この選定したレコードの確定フラグフィールド２３４３に確定フラグ「１」を登録することで、登録内容を更新する。これによって、処理Ｓ２４２で前記受信数が判定閾値に達した行動種類名（本実施形態では、処理Ｓ２１で受信した行動種類名通知通信信号に収容されたセンサＩＤおよびアルゴリズムＩＤに対応する行動種類名）が確定する。
【００９１】
例えば、３個の起床検知プログラム１〜３および２個の離床検知プログラム１、２には、前記判定閾値として数値５が設定され、１個の転落検知プログラムおよび２個の転倒検知プログラム１、２には、前記判定閾値として数値３が設定されている場合、図４に示す例では、アルゴリズムＩＤが起床アルゴリズム１である起床検知プログラム１には、行動種類名として、判定閾値「５」に達した「その他」が対応付けられ、また例えば、アルゴリズムＩＤが転倒アルゴリズム１である転倒検知プログラム１には、行動種類名として、判定閾値「３」に達した「離床」が対応付けられる。
【００９２】
以上のように処理Ｓ２４の行動種類名処理が実行される。
【００９３】
また、前記処理Ｓ２５では、管理サーバ装置ＳＶは、ＳＶ制御処理部２２によって、処理Ｓ２１で受信した通信信号に応じた適宜な処理を実行する。
【００９４】
そして、これら処理Ｓ２３ないし処理Ｓ２５それぞれの後に実行される前記処理Ｓ２６では、管理サーバ装置ＳＶは、ＳＶ制御処理部２２によって、その稼働が終了（停止）か否かを判定する。この判定の結果、稼働の終了（停止）である場合（Ｙｅｓ）には、管理サーバ装置ＳＶは、本処理を終了し、一方、稼働の終了（停止）ではない場合（Ｎｏ）には、管理サーバ装置ＳＶは、処理を処理Ｓ２１に戻す。
【００９５】
被監視者Ｏｂの個性（特性）に応じた自動的なカスタマイズに関し、管理サーバ装置ＳＶは、以上のように動作している。
【００９６】
次に、端末装置ＳＰ、ＴＡの動作について説明する。ここでは、代表的に、携帯端末装置ＴＡの動作について説明する。上述したように、電源が投入されると、その稼働を始めると、携帯端末装置ＴＡでは、例えば看護師や介護士等の監視者（ユーザ）によるログイン操作が受け付けられ、ＴＡ監視表示処理部３２２によって、自機宛の通信信号を待ち受ける待受け画面がＴＡ表示部３６に表示される。この待受け画面５１は、例えば、図１２に示すように、メニューバーを表示するメニューバー領域５１１と、待ち受け中であることを表すメッセージ（例えば「通知はありません」）およびアイコンを表示する待受けメイン領域５１２と、現在時刻を表示する時刻領域５１３と、今日の年月日曜日を表示する年月日曜日領域５１４と、今、当該携帯端末装置ＴＡにログインしているユーザ名を表示するユーザ名領域５１５とを備える。
【００９７】
そして、図１１において、携帯端末装置ＴＡは、ＴＡ制御処理部３２のＴＡ制御部３２１によって、ＴＡ通信ＩＦ部３１で通信信号を受信したか否かを判定する（Ｓ３１）。この判定の結果、通信信号を受信していない場合（Ｎｏ）には、携帯端末装置ＴＡは、処理をＳ３１に戻し、前記判定の結果、通信信号を受信している場合（Ｙｅｓ）には、携帯端末装置ＴＡは、次の処理Ｓ３２を実行する。すなわち、携帯端末装置ＴＡは、通信信号の受信を待ち受けている。
【００９８】
処理Ｓ３２では、携帯端末装置ＴＡは、ＴＡ制御部３２１によって、この受信した通信信号の種類を判定する。この判定の結果、携帯端末装置ＴＡは、前記受信した通信信号が第２監視情報通信信号である場合（第２監視情報）には、次の処理Ｓ３３を実行し、前記受信した通信信号が第２監視情報通信信号ではない場合（その他）には、処理Ｓ３１で受信した通信信号に応じた適宜な処理を行う処理Ｓ３９を実行した後に本処理を終了する。
【００９９】
処理Ｓ３３では、携帯端末装置ＴＡは、ＴＡ制御処理部３２のＴＡ監視表示処理部３２２によって、処理Ｓ３１で管理サーバ装置ＳＶから受信した第２監視情報通信信号に収容された、被監視者Ｏｂに対する監視に関する監視情報をＴＡ監視情報記憶部３３１に記憶（記録）する。
【０１００】
次に、携帯端末装置ＴＡは、ＴＡ監視表示処理部３２２によって、処理Ｓ３１で受信した第２監視情報通信信号に収容された検知結果がアルゴリズムＩＤか行動種類名かを判定する（Ｓ３４）。この判定の結果、処理Ｓ３１で受信した第２監視情報通信信号に検知結果としてアルゴリズムＩＤが収容されている場合（アルゴリズムＩＤ）には、携帯端末装置ＴＡは、ＴＡ監視表示処理部３２２によって、処理Ｓ３５を実行した後に処理Ｓ３７を実行し、一方、処理Ｓ３１で受信した第２監視情報通信信号に検知結果として行動種類名が収容されている場合（行動種類名）には、携帯端末装置ＴＡは、ＴＡ監視表示処理部３２２によって、処理Ｓ３６を実行した後に処理Ｓ３７を実行する。
【０１０１】
この処理Ｓ３５では、携帯端末装置ＴＡは、ＴＡ監視表示処理部３２２によって、センサ装置ＳＵの検知結果をアルゴリズムＩＤを用いて表示した監視情報を表示する。より具体的には、ＴＡ監視表示処理部３２２は、処理Ｓ３１で受信した第２監視情報通信信号に収容されている各情報（各データ）に従った、例えば図１３に示す監視情報画面５２ａをＴＡ表示部３６に表示する。
【０１０２】
この監視情報画面５２ａは、被監視者Ｏｂの監視に関する前記監視情報を表示し、そして、行動種類の行動種類名を入力するための画面である。前記監視情報画面５２ａは、例えば、図１３に示すように、メニューバー領域５１１と、処理Ｓ３１で受信した第２監視情報通信信号に収容されたセンサＩＤを持つセンサ装置ＳＵの配設場所および前記センサＩＤを持つ前記センサ装置ＳＵによって監視される被監視者Ｏｂの名前を表示する被監視者名領域５２１と、処理Ｓ３１で受信した第２監視情報通信信号の受信時刻（または前記所定の行動の検知時刻）からの経過時間、および、処理Ｓ３１で受信した第２監視情報通信信号に収容された前記所定の行動に対する検知結果を表示する検知行動表示領域５２２と、処理Ｓ３１で受信した第２監視情報通信信号に収容された画像（すなわち、前記センサＩＤを持つ前記センサ装置ＳＵによって撮像された画像）（ここでは静止画）を表示する画像領域５２３と、「対応する」ボタン５２４と、「話す」ボタン５２５と、「ＬＩＶＥを見る」ボタン５２６と、「行動種類名」ボタン５２７（５２７−１〜５２７−５）とを備える。
【０１０３】
このような監視情報画面５２ａを生成するために、ＴＡ記憶部３３には、センサＩＤ、このセンサＩＤを持つセンサ装置ＳＵの配設場所、および、このセンサＩＤを持つセンサ装置ＳＵによって監視される被監視者Ｏｂの名前が互いに対応付けられて予め記憶される。検知行動表示領域５２２には、処理Ｓ３１で受信した第２監視情報通信信号に前記所定の行動に対する検知結果として収容されたアルゴリズムＩＤが表示される。図１３に示す例では、検知行動表示領域５２２には、起床検知アルゴリズム２（起床検知プログラム２）のアルゴリズムＩＤである「起床アルゴリズム２」が表示されている。「対応する」ボタン５２４は、前記センサＩＤの前記センサ装置ＳＵによって監視される被監視者Ｏｂに対する例えば救命、看護、介護および介助等の前記対応（対処、応対）を実行する意思（対応意思、対処意思、応対意思）が当該携帯端末装置ＴＡのユーザ（監視者）にあることを当該携帯端末装置ＴＡに入力するためのボタンである。「話す」ボタン５２５は、音声通話を要求するためのボタンであって、前記センサＩＤの前記センサ装置ＳＵと当該携帯端末装置ＴＡとをネットワークＮＷを介して通話可能に接続する指示を入力するためのボタンである。「ＬＩＶＥを見る」ボタン５２６は、ライブでの動画を要求するためのボタンであって、前記センサＩＤの前記センサ装置ＳＵによって撮像される動画を表示させる指示を入力するためのボタンである。「行動種類名」ボタン５２７は、行動種類名を入力するためのボタンであり、本実施形態では、行動種類名が起床、離床、転落、転倒およびその他であるので、これらに応じて、行動種類名として起床を入力するための「起床」ボタン５２７−１、行動種類名として離床を入力するための「離床」ボタン５２７−２、行動種類名として転落を入力するための「転落」ボタン５２７−３、行動種類名として転倒を入力するための「転倒」ボタン５２７−４、および、行動種類名としてその他を入力するための「その他」ボタン５２７−５を備える。
【０１０４】
一方、処理Ｓ３６では、携帯端末装置ＴＡは、ＴＡ監視表示処理部３２２によって、センサ装置ＳＵの検知結果を行動種類名を用いて表示した監視情報を表示する。より具体的には、ＴＡ監視表示処理部３２２は、処理Ｓ３１で受信した第２監視情報通信信号に収容されている各情報（各データ）に従った、例えば図１４に示す監視情報画面５２ｂをＴＡ表示部３６に表示する。
【０１０５】
この監視情報画面５２ｂは、被監視者Ｏｂの監視に関する前記監視情報を表示するための画面である。前記監視情報画面５２ｂは、例えば、図１４に示すように、メニューバー領域５１１と、被監視者名領域５２１と、検知行動表示領域５２２と、画像領域５２３と、「対応する」ボタン５２４と、「話す」ボタン５２５と、「ＬＩＶＥを見る」ボタン５２６とを備える。すなわち、この図１４に示す監視情報画面５２ｂは、図１３に示す前記監視情報画面５２ａに対し、「行動種類名」ボタン５２７（５２７−１〜５２７−５）が除かれている。そして、検知行動表示領域５２２には、処理Ｓ３１で受信した第２監視情報通信信号に前記所定の行動に対する検知結果として収容された行動種類名が、その行動種類名を象徴的に表すアイコンで表示されている。この行動種類名をアイコンで表示するために、ＴＡ記憶部３３には、行動種類名およびその行動種類名を象徴的に表すアイコンが互いに対応付けられて予め記憶される。図１４に示す例では、検知行動表示領域５２２には、起床を象徴的に表す起床アイコンが表示されている。
【０１０６】
そして、処理Ｓ３７では、携帯端末装置ＴＡは、ＴＡ制御処理部３２によって、ＴＡ入力部３５およびＴＡ表示部３６を備えて成るタッチパネルで入力操作を受け付けたか否かを判定する。この判定の結果、入力操作を受け付けていない場合（Ｎｏ）には、携帯端末装置ＴＡは、処理を処理Ｓ３７に戻し、一方、前記判定の結果、入力操作を受け付けている場合には、携帯端末装置ＴＡは、次の処理Ｓ３８を実行する。
【０１０７】
この処理Ｓ３８では、携帯端末装置ＴＡは、ＴＡ制御処理部３２によって、入力操作の内容に応じた適宜な処理を実行し、この画面表示の動作を終了する。
【０１０８】
例えば、携帯端末装置ＴＡは、ＴＡ制御処理部３２によって、「対応する」ボタン５２４の入力操作を受け付けると（すなわち、前記対応意思を受け付けると）、現在、ＴＡ表示部３６に表示している被監視者Ｏｂの監視情報に、「対応する」を受け付けた旨を付してＴＡ監視情報記憶部３３１に記憶し、ＴＡ表示部３６に表示している被監視者Ｏｂの監視情報に対応するセンサＩＤおよび「対応する」を受け付けた旨を表す情報（対応受付情報）を収容した通信信号（対応受付通知通信信号）を管理サーバ装置ＳＶへ送信する。この対応受付通知通信信号を受信した管理サーバ装置は、ＳＶ制御処理部２２によって、この受信した対応受付通知通信信号に収容されたセンサＩＤおよび対応受付情報を収容した通信信号（対応受付周知通信信号）を同報通信で端末装置ＳＰ、ＴＡへ送信する。これによって、ＴＡ表示部３６に表示している被監視者Ｏｂの監視情報に対応するセンサＩＤに関し、「対応する」を受け付けた旨が各端末装置ＳＰ、ＴＡ間で同期される。
【０１０９】
また例えば、携帯端末装置ＴＡは、ＴＡ制御処理部３２によって、「話す」ボタン５２５の入力操作を受け付けると、ＴＡナースコール処理部３２４によって、ＴＡ表示部３６に表示している被監視者Ｏｂを監視するセンサ装置ＳＵへ、音声通話を要求する旨等の情報を収容した通信信号（通話要求通信信号）を送信し、これに応じたセンサ装置ＳＵとネットワークＮＷを介して音声通話可能に接続する。これによって携帯端末装置ＴＡとセンサ装置ＳＵとの間で音声通話が可能となる。なお、携帯端末装置ＴＡは、ＴＡ制御処理部３２によって、音声通話の終了の指示を入力するためのボタンである図略の「終了」ボタンの入力操作を受け付けると、ＴＡナースコール処理部３２４によって、ＴＡ表示部３６に表示している被監視者Ｏｂを監視するセンサ装置ＳＵへ、音声通話の終了を要求する旨等の情報を収容した通信信号（通話終了通信信号）を送信する。これによって携帯端末装置ＴＡとセンサ装置ＳＵとの間での音声通話が終了される。
【０１１０】
また例えば、携帯端末装置ＴＡは、ＴＡ制御処理部３２によって、「ＬＩＶＥを見る」ボタン５２６の入力操作を受け付けると、ＴＡストリーミング処理部３２５によって、現在、ＴＡ表示部３６に表示している被監視者Ｏｂを監視するセンサ装置ＳＵへ、ライブでの動画の配信を要求する旨等の情報を収容した通信信号（動画配信要求通信信号）を送信し、これに応じたセンサ装置ＳＵとネットワークＮＷを介して動画のダウンロード可能に接続し、前記センサ装置ＳＵからライブでの動画の配信を受け、この配信を受けた動画をストリーミング再生でＴＡ表示部３６に表示する。このライブでの動画を表示する監視情報画面５２ａ、５２ｂでは、画像領域５２３に動画が表示され、そして、「ＬＩＶＥを見る」ボタン５２６に代え図略の「ＬＩＶＥ終了」ボタンが表示される。これによって携帯端末装置ＴＡには、ライブでの動画が表示される。前記図略の「ＬＩＶＥ終了」ボタンは、動画の終了を要求するためのボタンであって、前記センサＩＤの前記センサ装置ＳＵによって撮像される動画の配信を終了（停止）させ表示を終了（停止）させる指示を入力するためのボタンである。携帯端末装置ＴＡは、ＴＡ制御処理部３２によって、「ＬＩＶＥ終了」ボタンの入力操作を受け付けると、ＴＡストリーミング処理部３２５によって、現在、ＴＡ表示部３６に表示している被監視者Ｏｂを監視するセンサ装置ＳＵへ、動画配信の終了を要求する旨等の情報を収容した通信信号（動画配信終了通信信号）を送信し、静止画をＴＡ表示部３６に表示する。これによって携帯端末装置ＴＡは、ライブでの動画の表示を終了する。
【０１１１】
また例えば、携帯端末装置ＴＡは、ＴＡ制御処理部３２によって、「行動種類名」ボタン５２７の入力操作を受け付けると、行動種類名通知処理部３２３によって、この入力された前記行動種類の行動種類名をＴＡ表示部３６に表示したアルゴリズムＩＤに対応付けて、ＴＡ表示部３６に表示した前記アルゴリズムＩＤと前記入力された前記行動種類の行動種類名とを管理サーバ装置ＳＶへ返信する。本実施形態では、センサ装置ＳＵが複数であるので、前記行動種類の行動種類名は、さらに、ＴＡ表示部３６に表示している監視情報画面５２ａに対応するセンサＩＤに対応付けられて、このセンサＩＤも管理サーバ装置ＳＶへ返信される。より具体的には、「起床」ボタン５２７−１の入力操作を受け付けると、行動種類名通知処理部３２３は、ＴＡ表示部３６に表示している監視情報画面５２ａに対応するセンサＩＤ、および、この監視情報画面５２ａの検知行動表示領域５２２に表示しているアルゴリズムＩＤ（本実施形態では、処理Ｓ３１で受信した第２監視情報通信信号に収容されたセンサＩＤおよびアルゴリズムＩＤ）、ならびに、前記行動種類名として「起床」を収容した行動種類名通知通信信号を生成し、この生成した行動種類名通知通信信号をＴＡ通信ＩＦ部３１を介して管理サーバ装置ＳＶへ送信する。「離床」ボタン５２７−２の入力操作を受け付けると、行動種類名通知処理部３２３は、ＴＡ表示部３６に表示している監視情報画面５２ａに対応するセンサＩＤ、および、この監視情報画面５２ａの検知行動表示領域５２２に表示しているアルゴリズムＩＤ（本実施形態では、処理Ｓ３１で受信した第２監視情報通信信号に収容されたセンサＩＤおよびアルゴリズムＩＤ）、ならびに、前記行動種類名として「離床」を収容した行動種類名通知通信信号を生成し、この生成した行動種類名通知通信信号をＴＡ通信ＩＦ部３１を介して管理サーバ装置ＳＶへ送信する。すなわち、「離床」ボタン５２７−２の入力操作を受け付けると、行動種類名通知処理部３２３は、前記行動種類名として「起床」を収容した上述の行動種類名通知通信信号において、前記「起床」に代え「離床」を収容した行動種類名通知通信信号を生成し、これを管理サーバ装置ＳＶへ送信する。同様に、「転落」ボタン５２７−３の入力操作を受け付けると、行動種類名通知処理部３２３は、前記行動種類名として「起床」を収容した上述の行動種類名通知通信信号において、前記「起床」に代え「転落」を収容した行動種類名通知通信信号を生成し、これを管理サーバ装置ＳＶへ送信する。「転倒」ボタン５２７−４の入力操作を受け付けると、行動種類名通知処理部３２３は、前記行動種類名として「起床」を収容した上述の行動種類名通知通信信号において、前記「起床」に代え「転倒」を収容した行動種類名通知通信信号を生成し、これを管理サーバ装置ＳＶへ送信する。そして、「その他」ボタン５２７−５の入力操作を受け付けると、行動種類名通知処理部３２３は、前記行動種類名として「起床」を収容した上述の行動種類名通知通信信号において、前記「起床」に代え「その他」を収容した行動種類名通知通信信号を生成し、これを管理サーバ装置ＳＶへ送信する。
【０１１２】
被監視者Ｏｂの個性（特性）に応じた自動的なカスタマイズに関し、携帯端末装置ＴＡは、以上のように動作している。
【０１１３】
以上説明したように、本実施形態における被監視者監視システムＭＳ、被監視者監視装置の一例としてのセンサ装置ＳＵおよび管理サーバ装置ＳＶ、ならびに、これらの実装された被監視者監視方法は、前記全ての行動検知アルゴリズム（行動検知プログラム）について、前記検知処理の結果、当該行動検知アルゴリズムで前記所定の行動を検知した場合に、当該行動検知アルゴリズムに対応するアルゴリズムＩＤで前記所定の行動の検知を被監視者Ｏｂに関わる画像と共に端末装置ＳＰ、ＴＡへ報知するので、前記端末装置ＳＰ、ＴＡのユーザ（監視者）は、前記画像を参照することで、前記アルゴリズムＩＤに対応した行動種類名を前記端末装置ＳＰ、ＴＡに入力して返信できる。上記被監視者監視システムＭＳ、上記被監視者監視装置（センサ装置ＳＵおよび管理サーバ装置ＳＶ）および上記被監視者監視方法は、前記アルゴリズムＩＤと前記アルゴリズムＩＤに対応付けられた前記行動種類名を前記端末装置ＳＰ、ＴＡから受信するので、上記被監視者監視システムＭＳ、上記被監視者監視装置（センサ装置ＳＵおよび管理サーバ装置ＳＶ）および上記被監視者監視方法は、この受信した前記アルゴリズムＩＤに対応付けられた前記行動種類名に基づいて、行動検知アルゴリズムとこの行動検知アルゴリズムで被監視者Ｏｂの個性（特性）に応じて検知できる行動種類名を自動的に対応付けることができる。したがって、上記被監視者監視システムＭＳ、上記被監視者監視装置（センサ装置ＳＵおよび管理サーバ装置ＳＶ）および上記被監視者監視方法は、被監視者の個性（特性）に応じて自動的にカスタマイズできる。
【０１１４】
上記被監視者監視システムＭＳ、上記被監視者監視装置（センサ装置ＳＵおよび管理サーバ装置ＳＶ）および上記被監視者監視方法は、全ての行動種類名の中から、計数処理部２２３で前記アルゴリズムＩＤ別および前記行動種類名別に、さらに本実施形態ではセンサＩＤ別に、計数した前記受信数が、所定の判定閾値に達した行動種類名で前記アルゴリズムＩＤに対応付ける行動種類名を決定できる。
【０１１５】
上記被監視者監視システムＭＳ、上記被監視者監視装置（センサ装置ＳＵおよび管理サーバ装置ＳＶ）および上記被監視者監視方法は、計数処理部２２３で前記アルゴリズムＩＤ別および前記行動種類名別に、さらに本実施形態ではセンサＩＤ別に、計数した前記受信数が所定の判定閾値に達し、かつ、前記所定の判定閾値に達した受信数に対応する行動種類名が前記その他である場合、前記行動種類名が前記その他で前記所定の判定閾値に達した受信数に対応する前記アルゴリズムＩＤを持つ行動検知アルゴリズムで前記所定の行動を検知しても、前記処理Ｓ２３４によって、前記所定の行動の検知を端末装置ＳＰ、ＴＡへ報知しないので、誤報を低減できる。
【０１１６】
本実施形態では、被監視者監視装置は、上述のように、センサ装置ＳＵおよび管理サーバ装置ＳＶを備えるので、センサ装置ＳＵのみを複数用意するだけで、複数の被監視者Ｏｂを個別に監視する場合に、被監視者監視システムＭＳが適用（導入）できる。
【０１１７】
なお、上述の実施形態では、アルゴリズムＩＤと行動種類名との最終的な対応付けは、アルゴリズムＩＤおよび行動種類名別に、本実施形態ではさらにセンサＩＤ別に、計数した前記受信数が所定の判定閾値に達したか否かによって実行されたが、アルゴリズムＩＤおよび行動種類名別に、ここではさらにセンサＩＤ別に、所定の期間、計数した後に、前記所定の期間で最大の受信数に対応する行動種類名で実行されても良い。より具体的には、この場合、計数処理部２２３は、上述の実施形態と同様に、前記アルゴリズムＩＤと前記アルゴリズムＩＤに対応付けられた前記行動種類の行動種類名を、ここではさらにセンサＩＤと対応付けられた前記行動種類の行動種類名を、端末装置ＳＰ、ＴＡから受信した場合に、前記アルゴリズムＩＤに対応付けられた前記行動種類の行動種類名の受信数を、ここではさらにセンサＩＤと対応付けられた前記行動種類の行動種類名を、前記アルゴリズムＩＤ別および前記行動種類名別に、ここではさらにセンサＩＤ別に計数する。そして、ＳＶ監視報知処理部２２２は、この計数処理部２２３で前記アルゴリズムＩＤ別および前記行動種類名別に、ここではさらにセンサＩＤ別に、所定の期間、計数した後、全てのアルゴリズムＩＤそれぞれにおいて、当該アルゴリズムＩＤに代え当該アルゴリズムＩＤでの前記所定の期間で最大の受信数に対応する行動種類名で、または、当該アルゴリズムＩＤに追加して当該アルゴリズムＩＤでの前記所定の期間で最大の受信数に対応する行動種類名で前記所定の行動の検知を端末装置ＳＰ、ＴＡへ報知する。より具体的には、図１０に示す上述と同様な処理Ｓ２４１が実行された後に、図１０に示す処理Ｓ２４２において、判定閾値による判定に代え、管理サーバ装置ＳＶは、ＳＶ制御処理部２２のＳＶ監視報知処理部２２２によって、前記受信数を計数する期間である計数期間が所定の期間に達したか否かを判定する。この計数期間は、センサＩＤ別に管理される（管理サーバ装置ＳＶは、前記計数期間をセンサＩＤ別に備える）。この判定の結果、前記計数期間が前記所定の期間に達していない場合（Ｎｏ）には、管理サーバ装置ＳＶは、本処理（処理Ｓ２４）を終了し、一方、前記計数期間が前記所定の期間に達している場合（Ｙｅｓ）には、管理サーバ装置ＳＶは、次の処理Ｓ２４３を実行した後に、本処理（処理Ｓ２４）を終了する。前記所定の期間は、任意の期間であり、例えば、３日間、５日間、１週間および２週間等である。そして、この場合における処理Ｓ２４３では、管理サーバ装置ＳＶは、ＳＶ監視報知処理部２２２によって、最大の受信数の行動種類名で前記行動種類名を確定する。より具体的には、ＳＶ監視報知処理部２２２は、受信数情報記憶部２３３にセンサＩＤごとに記憶されている全ての受信数テーブルＲＴおよび行動種類名情報記憶部２３４にセンサＩＤごとに記憶されている全ての行動種類名テーブルＮＴそれぞれの中から、前記所定の期間に達している前記計数期間に対応付けられているセンサＩＤに対応する受信数テーブルＲＴおよび行動種類名テーブルＮＴそれぞれを選定し、この選定した受信数テーブルＲＴにおいて、各レコード２３３１（各アルゴリズムＩＤ）それぞれについて、当該レコード２３３１（アルゴリズムＩＤ）における最大の受信数を持つ行動種類名フィールド２３３２を選定し、この選定した行動種類名フィールド２３３２の行動種類名を取り出し、前記選定した行動種類名テーブルＮＴの中から、当該レコード２３３１のアルゴリズムＩＤに対応するレコードを選定し、この選定したレコードの行動種類名フィールド２３４２に、前記取り出した行動種類名を登録するとともに、この選定したレコードの確定フラグフィールド２３４３に確定フラグ「１」を登録する。例えば、図４に示す第１センサ装置ＳＵ−１に対応する受信数テーブルＲＴ−１が前記所定の期間の経過後の計数結果である場合、アルゴリズムＩＤが起床アルゴリズム１である起床検知プログラム１には、行動種類名として、最大の受信数「５」を持つ「その他」が対応付けられ、また例えば、アルゴリズムＩＤが離床アルゴリズム２である離床検知プログラム２には、行動種類名として、最大の受信数「３」を持つ「離床」が対応付けられる。このような被監視者監視システムＭＳ、被監視者監視装置（センサ装置ＳＵおよび管理サーバ装置ＳＶ）および被監視者監視方法は、全ての行動検知アルゴリズム（全てのアルゴリズムＩＤ）それぞれにおいて、全ての行動種類名の中から、前記計数処理部２２３で前記アルゴリズムＩＤ別および前記行動種類名別に、ここではさらにセンサＩＤ別に、計数した前記受信数が所定の期間で最大となった行動種類名で前記アルゴリズムＩＤに対応付ける行動種類名を、ここではさらにセンサＩＤにも対応付けられている行動種類名を、決定するので、最も確からしい行動種類名で前記行動種類名を決定できる。
【０１１８】
そして、この場合、好ましくは、ＳＶ監視報知処理部２２２は、前記計数処理部２２３で前記アルゴリズムＩＤ別および前記行動種類名別に、ここではさらにセンサＩＤ別に、所定の期間、計数した後、前記所定の期間で最大の受信数に対応する行動種類名が前記その他である場合、前記行動種類名が前記その他で最大の受信数を持つ前記アルゴリズムＩＤの行動検知アルゴリズムで前記所定の行動を検知しても、図９に示す各処理と同様の各処理、特に、図９に示す処理Ｓ２３４と同様の処理によって、前記所定の行動の検知を前記端末装置ＳＰ、ＴＡへ報知しない。このような被監視者監視システムＭＳ、被監視者監視装置（センサ装置ＳＵおよび管理サーバ装置ＳＶ）および被監視者監視方法は、前記計数処理部２２３で前記アルゴリズムＩＤ別および前記行動種類名別に、ここではさらにセンサＩＤ別に、所定の期間、計数した後、前記所定の期間で最大の受信数に対応する行動種類名が前記その他である場合、前記行動種類名が前記その他で最大の受信数に対応する前記アルゴリズムＩＤを持つ行動検知アルゴリズムで前記所定の行動を検知しても、前記所定の行動の検知を前記端末装置ＳＰ、ＴＡへ報知しないので、誤報を低減できる。
【０１１９】
本明細書は、上記のように様々な態様の技術を開示しているが、そのうち主な技術を以下に纏める。
【０１２０】
一態様にかかる被監視者監視装置は、監視対象である被監視者における所定の行動を検知して通信可能に接続された端末装置へ報知する被監視者監視装置であって、前記被監視者における所定の行動を検知する検知処理を実行する行動検知アルゴリズムを、前記所定の行動における互いに異なる複数の行動種類それぞれについて、１または複数で記憶する行動検知アルゴリズム情報記憶部と、前記行動検知アルゴリズムを特定し識別するための行動検知アルゴリズム識別子を記憶する行動検知アルゴリズム識別子情報記憶部と、前記行動検知アルゴリズム情報記憶部に記憶されている全ての行動検知アルゴリズムを用いて前記検知処理を実行する検知処理部と、前記全ての行動検知アルゴリズムについて、前記検知処理部の前記検知処理の結果、当該行動検知アルゴリズムで前記所定の行動を検知した場合に、前記行動検知アルゴリズム識別子情報記憶部に記憶された、当該行動検知アルゴリズムに対応する行動検知アルゴリズム識別子で前記所定の行動の検知を前記被監視者に関わる画像と共に前記端末装置へ報知する報知処理部とを備え、前記報知処理部は、前記行動検知アルゴリズム識別子と前記行動検知アルゴリズム識別子に対応付けられた前記行動種類の行動種類名を前記端末装置から受信した後、前記受信した前記行動検知アルゴリズム識別子に対応付けられた前記行動種類の行動種類名に基づいて、前記行動検知アルゴリズム識別子に代え行動種類名で、または、前記行動検知アルゴリズム識別子に追加して行動種類名で前記所定の行動の検知を前記端末装置へ報知する。
【０１２１】
このような被監視者監視装置は、前記全ての行動検知アルゴリズムについて、前記検知処理部の前記検知処理の結果、当該行動検知アルゴリズムで前記所定の行動を検知した場合に、当該行動検知アルゴリズムに対応する行動検知アルゴリズム識別子で前記所定の行動の検知を前記被監視者に関わる画像と共に前記端末装置へ報知するので、前記端末装置のユーザ（監視者）は、前記画像を参照することで、前記行動検知アルゴリズム識別子に対応した前記行動種類の行動種類名を前記端末装置に入力して返信できる。前記被監視者に関わる画像は、好ましくは、静止画および動画のうちの少なくとも一方である。そして、上記被監視者監視装置は、前記行動検知アルゴリズム識別子と前記行動検知アルゴリズム識別子に対応付けられた前記行動種類の行動種類名を前記端末装置から受信するので、上記被監視者監視装置は、前記受信した前記行動検知アルゴリズム識別子に対応付けられた前記行動種類の行動種類名に基づいて、行動検知アルゴリズムとこの行動検知アルゴリズムで被監視者の個性（特性）に応じて検知できる行動種類名を自動的に対応付けることができる。したがって、上記被監視者監視装置は、被監視者の個性（特性）に応じて自動的にカスタマイズできる。
【０１２２】
他の一態様では、上述の被監視者監視装置において、前記報知処理部は、前記行動検知アルゴリズム識別子と前記行動検知アルゴリズム識別子に対応付けられた前記行動種類の行動種類名を前記端末装置から受信した場合に、前記行動検知アルゴリズム識別子に対応付けられた前記行動種類の行動種類名の受信数を前記行動検知アルゴリズム識別子別および前記行動種類名別に計数する計数処理部と、前記計数処理部で前記行動検知アルゴリズム識別子別および前記行動種類名別に計数した前記受信数が所定の判定閾値に達した場合に、前記所定の判定閾値に達した受信数を持つ行動検知アルゴリズム識別子において、前記行動検知アルゴリズム識別子に代え前記所定の判定閾値に達した受信数に対応する行動種類名で、または、前記行動検知アルゴリズム識別子に追加して前記所定の判定閾値に達した受信数に対応する行動種類名で前記所定の行動の検知を前記端末装置へ報知する第１報知部とを備える。好ましくは、複数の被監視者それぞれを複数の検知処理部それぞれで監視する場合、前記計数処理部は、前記受信数を、さらに、検知処理部別に計数する。
【０１２３】
このような被監視者監視装置は、全ての行動種類名の中から、前記計数処理部で前記行動検知アルゴリズム識別子別および前記行動種類名別に計数した前記受信数が所定の判定閾値に達した行動種類名で前記行動検知アルゴリズム識別子に対応付ける行動種類名を決定できる。前記所定の判定閾値は、好ましくは、１以上の整数値である。
【０１２４】
他の一態様では、上述の被監視者監視装置において、前記行動種類名は、前記複数の行動種類それぞれに対応する複数の名称と、前記複数の行動種類に属さない名称として「その他」とを含み、前記第１報知部は、前記計数処理部で前記行動検知アルゴリズム識別子別および前記行動種類名別に計数した前記受信数が所定の判定閾値に達し、かつ、前記所定の判定閾値に達した受信数に対応する行動種類名が前記その他である場合、前記行動種類名が前記その他で前記所定の判定閾値に達した受信数を持つ前記行動検知アルゴリズム識別子の行動検知アルゴリズムで前記所定の行動を検知しても、前記所定の行動の検知を前記端末装置へ報知しない。
【０１２５】
このような被監視者監視装置は、前記計数処理部で前記行動検知アルゴリズム識別子別および前記行動種類名別に計数した前記受信数が所定の判定閾値に達し、かつ、前記所定の判定閾値に達した受信数に対応する行動種類名が前記その他である場合、前記行動種類名が前記その他で前記所定の判定閾値に達した受信数を持つ前記行動検知アルゴリズム識別子の行動検知アルゴリズムで前記所定の行動を検知しても、前記所定の行動の検知を前記端末装置へ報知しないので、誤報を低減できる。
【０１２６】
他の一態様では、上述の被監視者監視装置において、前記報知処理部は、前記行動検知アルゴリズム識別子と前記行動検知アルゴリズム識別子に対応付けられた前記行動種類の行動種類名を前記端末装置から受信した場合に、前記行動検知アルゴリズム識別子に対応付けられた前記行動種類の行動種類名の受信数を前記行動検知アルゴリズム識別子別および前記行動種類名別に計数する計数処理部と、前記計数処理部で前記行動検知アルゴリズム識別子別および前記行動種類名別に所定の期間、計数した後、全ての行動検知アルゴリズム識別子それぞれにおいて、当該行動検知アルゴリズム識別子に代え当該行動検知アルゴリズム識別子での前記所定の期間で最大の受信数に対応する行動種類名で、または、当該行動検知アルゴリズム識別子に追加して当該行動検知アルゴリズム識別子での前記所定の期間で最大の受信数に対応する行動種類名で前記所定の行動の検知を前記端末装置へ報知する第２報知部とを備える。
【０１２７】
このような被監視者監視装置は、全ての行動検知アルゴリズムそれぞれにおいて、全ての行動種類名の中から、前記計数処理部で前記行動検知アルゴリズム識別子別および前記行動種類名別に計数した前記受信数が所定の期間で最大となった行動種類名で当該行動検知アルゴリズム識別子に対応付ける行動種類名を決定するので、最も確からしい行動種類名で前記行動検知アルゴリズム識別子に対応付ける行動種類名を決定できる。前記所定の期間は、任意の期間であり、例えば、３日間、５日間、１週間および２週間等である。
【０１２８】
他の一態様では、上述の被監視者監視装置において、前記行動種類名は、前記複数の行動種類それぞれに対応する複数の名称と、前記複数の行動種類に属さない名称として「その他」とを含み、前記第２報知部は、前記計数処理部で前記行動検知アルゴリズム識別子別および前記行動種類名別に所定の期間、計数した後、前記所定の期間で最大の受信数に対応する行動種類名が前記その他である場合、前記行動種類名が前記その他で最大の受信数を持つ前記行動検知アルゴリズム識別子の行動検知アルゴリズムで前記所定の行動を検知しても、前記所定の行動の検知を前記端末装置へ報知しない。
【０１２９】
このような被監視者監視装置は、前記計数処理部で前記行動検知アルゴリズム識別子別および前記行動種類名別に所定の期間、計数した後、前記所定の期間で最大の受信数に対応する行動種類名が前記その他である場合、前記行動種類名が前記その他で最大の受信数を持つ前記行動検知アルゴリズム識別子の行動検知アルゴリズムで前記所定の行動を検知しても、前記所定の行動の検知を前記端末装置へ報知しないので、誤報を低減できる。
【０１３０】
他の一態様では、これら上述の被監視者監視装置において、前記行動検知アルゴリズム識別子に対応付けられた前記行動種類の行動種類名の受信数を前記行動検知アルゴリズム識別子別および前記行動種類名別に計数した計数結果を表す受信数情報を記憶する受信数情報記憶部をさらに備え、前記計数処理部は、前記行動検知アルゴリズム識別子と前記行動検知アルゴリズム識別子に対応付けられた前記行動種類の行動種類名を前記端末装置から受信した場合に、前記受信数情報記憶部に記憶された前記受信数情報を用いて、前記行動検知アルゴリズム識別子に対応付けられた前記行動種類の行動種類名の受信数を前記行動検知アルゴリズム識別子別および前記行動種類名別に計数する。
【０１３１】
これによれば、前記受信数情報を用いて、前記行動検知アルゴリズム識別子に対応付けられた前記行動種類の行動種類名の受信数を前記行動検知アルゴリズム識別子別および前記行動種類名別に計数する被監視者監視装置が提供できる。
【０１３２】
他の一態様にかかる被監視者監視方法は、監視対象である被監視者における所定の行動を検知して通信可能に接続された端末装置へ報知する被監視者監視方法であって、前記被監視者における所定の行動を検知する検知処理を実行する行動検知アルゴリズムを、前記所定の行動における互いに異なる複数の行動種類それぞれについて、１または複数で行動検知アルゴリズム情報記憶部に記憶する行動検知アルゴリズム情報記憶工程と、前記行動検知アルゴリズムを特定し識別するための行動検知アルゴリズム識別子を行動検知アルゴリズム識別子情報記憶部に記憶する行動検知アルゴリズム識別子情報記憶工程と、前記行動検知アルゴリズム情報記憶部に記憶されている全ての行動検知アルゴリズムを用いて前記検知処理を実行する検知処理工程と、前記全ての行動検知アルゴリズムについて、前記検知処理工程の前記検知処理の結果、当該行動検知アルゴリズムで前記所定の行動を検知した場合に、前記行動検知アルゴリズム識別子情報記憶部に記憶された、当該行動検知アルゴリズムに対応する行動検知アルゴリズム識別子で前記所定の行動の検知を前記被監視者に関わる画像と共に前記端末装置へ報知する報知処理工程とを備え、前記報知処理工程は、前記行動検知アルゴリズム識別子と前記行動検知アルゴリズム識別子に対応付けられた前記行動種類の行動種類名を前記端末装置から受信した後、前記受信した前記行動検知アルゴリズム識別子に対応付けられた前記行動種類の行動種類名に基づいて、前記行動検知アルゴリズム識別子に代え行動種類名で、または、前記行動検知アルゴリズム識別子に追加して行動種類名で前記所定の行動の検知を前記端末装置へ報知する。
【０１３３】
他の一態様にかかる被監視者監視方法は、監視対象である被監視者における所定の行動を検知する検知処理を実行する行動検知アルゴリズムを、前記所定の行動における互いに異なる複数の行動種類それぞれについて、１または複数で記憶する行動検知アルゴリズム情報記憶部、および、前記行動検知アルゴリズムを特定し識別するための行動検知アルゴリズム識別子を記憶する行動検知アルゴリズム識別子情報記憶部を備え、前記被監視者における所定の行動を検知して通信可能に接続された端末装置へ報知する被監視者監視装置の被監視者監視方法であって、前記行動検知アルゴリズム情報記憶部に記憶されている全ての行動検知アルゴリズムを用いて前記検知処理を実行する検知処理工程と、前記全ての行動検知アルゴリズムについて、前記検知処理工程の前記検知処理の結果、当該行動検知アルゴリズムで前記所定の行動を検知した場合に、前記行動検知アルゴリズム識別子情報記憶部に記憶された、当該行動検知アルゴリズムに対応する行動検知アルゴリズム識別子で前記所定の行動の検知を前記被監視者に関わる画像と共に前記端末装置へ報知する報知処理工程とを備え、前記報知処理工程は、前記行動検知アルゴリズム識別子と前記行動検知アルゴリズム識別子に対応付けられた前記行動種類の行動種類名を前記端末装置から受信した後、前記受信した前記行動検知アルゴリズム識別子に対応付けられた前記行動種類の行動種類名に基づいて、前記行動検知アルゴリズム識別子に代え行動種類名で、または、前記行動検知アルゴリズム識別子に追加して行動種類名で前記所定の行動の検知を前記端末装置へ報知する。
【０１３４】
このような被監視者監視方法は、前記全ての行動検知アルゴリズムについて、前記検知処理工程の前記検知処理の結果、当該行動検知アルゴリズムで前記所定の行動を検知した場合に、当該行動検知アルゴリズムに対応する行動検知アルゴリズム識別子で前記所定の行動の検知を前記被監視者に関わる画像と共に前記端末装置へ報知するので、前記端末装置のユーザ（監視者）は、前記画像を参照することで、前記行動検知アルゴリズム識別子に対応した前記行動種類の行動種類名を前記端末装置に入力して返信できる。そして、上記被監視者監視方法は、前記行動検知アルゴリズム識別子と前記行動検知アルゴリズム識別子に対応付けられた前記行動種類の行動種類名を前記端末装置から受信するので、上記被監視者監視方法は、前記受信した前記行動検知アルゴリズム識別子に対応付けられた前記行動種類の行動種類名に基づいて、行動検知アルゴリズムとこの行動検知アルゴリズムで被監視者の個性（特性）に応じて検知できる行動種類名を自動的に対応付けることができる。したがって、上記被監視者監視方法は、被監視者の個性（特性）に応じて自動的にカスタマイズできる。
【０１３５】
他の一態様にかかる被監視者監視システムは、端末装置と、前記端末装置と通信可能に接続され、監視対象である被監視者における所定の行動を検知して前記端末装置へ報知する被監視者監視装置とを備える被監視者監視システムであって、前記被監視者監視装置は、これら上述のいずれかの被監視者監視装置である。
【０１３６】
このような被監視者監視システムは、これら上述のいずれかの被監視者監視装置を備えるので、被監視者の個性（特性）に応じて自動的にカスタマイズできる。
【０１３７】
他の一態様では、上述の被監視者監視システムにおいて、前記被監視者監視装置は、前記被監視者における所定の行動を検知して前記被監視者に関わる画像と共に後記管理サーバ装置へ報知する第１の報知を実行するセンサ装置と、前記センサ装置と通信可能に接続され、前記センサ装置から前記第１の報知を受信すると前記第１の報知を前記端末装置へ報知する第２の報知を実行する管理サーバ装置とを備え、前記報知処理部は、前記第１の報知の実行として、前記全ての行動検知アルゴリズムについて、前記検知処理部の前記検知処理の結果、当該行動検知アルゴリズムで前記所定の行動を検知した場合に、前記行動検知アルゴリズム識別子情報記憶部に記憶された、当該行動検知アルゴリズムに対応する行動検知アルゴリズム識別子で前記所定の行動の検知を前記被監視者に関わる画像と共に前記管理サーバ装置へ報知する第１報知処理部と、前記第２の報知の実行として、前記センサ装置から前記第１の報知を受信すると前記第１の報知を前記端末装置へ報知し、前記行動検知アルゴリズム識別子と前記行動検知アルゴリズム識別子に対応付けられた前記行動種類の行動種類名を前記端末装置から受信した後、前記受信した前記行動検知アルゴリズム識別子に対応付けられた前記行動種類の行動種類名に基づいて、前記行動検知アルゴリズム識別子に代え行動種類名で、または、前記行動検知アルゴリズム識別子に追加して行動種類名で前記所定の行動の検知を前記端末装置へ報知する第２報知処理部とを備え、前記センサ装置は、前記行動検知アルゴリズム情報記憶部、前記行動検知アルゴリズム識別子情報記憶部、前記検知処理部および前記第１報知処理部を備え、前記管理サーバ装置は、前記第２報知処理部を備える。
【０１３８】
このような被監視者監視システムでは、被監視者監視装置がセンサ装置および管理サーバ装置を備えるので、センサ装置のみを複数用意するだけで、複数の被監視者を個別に監視する場合に、被監視者監視システムが適用（導入）できる。
【０１３９】
他の一態様では、これら上述の被監視者監視システムにおいて、前記端末装置は、表示を行う表示部と、入力を行う入力部と、前記行動検知アルゴリズム識別子で前記所定の行動の検知を前記被監視者に関わる画像と共に受信した場合に、前記受信した前記行動検知アルゴリズム識別子および前記被監視者に関わる画像を前記表示部に表示する表示処理部と、前記行動種類の行動種類名を前記入力部から入力された場合に、前記入力された前記行動種類の行動種類名を前記表示部に表示した前記行動検知アルゴリズム識別子に対応付けて、前記表示部に表示した前記行動検知アルゴリズム識別子と前記入力された前記行動種類の行動種類名とを返信する行動種類名通知処理部とを備える。
【０１４０】
このような被監視者監視システムでは、端末装置は、前記行動検知アルゴリズム識別子で前記所定の行動の検知を前記被監視者に関わる画像と共に受信した場合に、前記受信した前記行動検知アルゴリズム識別子および前記被監視者に関わる画像を前記表示部に表示するので、前記端末装置のユーザ（監視者）は、前記画像を参照することで、前記行動検知アルゴリズム識別子に対応した前記行動種類の行動種類名を前記端末装置に入力できる。上記端末装置は、前記行動種類名通知処理部を備えるので、前記行動種類の行動種類名を前記入力部から入力された場合に、前記入力された前記行動種類の行動種類名を前記表示部に表示した前記行動検知アルゴリズム識別子に対応付けて、前記表示部に表示した前記行動検知アルゴリズム識別子と前記入力された前記行動種類の行動種類名とを返信できる。
【０１４１】
この出願は、２０１５年１２月１５日に出願された日本国特許出願特願２０１５−２４４２１４を基礎とするものであり、その内容は、本願に含まれるものである。
【０１４２】
本発明を表現するために、上述において図面を参照しながら実施形態を通して本発明を適切且つ十分に説明したが、当業者であれば上述の実施形態を変更および／または改良することは容易に為し得ることであると認識すべきである。したがって、当業者が実施する変更形態または改良形態が、請求の範囲に記載された請求項の権利範囲を離脱するレベルのものでない限り、当該変更形態または当該改良形態は、当該請求項の権利範囲に包括されると解釈される。
【産業上の利用可能性】
【０１４３】
本発明によれば、被監視者監視装置、被監視者監視方法および被監視者監視システムが提供できる。
【図１】
2017104521.tif 000003
【図２】
2017104521.tif 000004
【図３】
2017104521.tif 000005
【図４】
2017104521.tif 000006
【図５】
2017104521.tif 000007
【図６】
2017104521.tif 000008
【図７】
2017104521.tif 000009
【図８】
2017104521.tif 000010
【図９】
2017104521.tif 000011
【図１０】
2017104521.tif 000012
【図１１】
2017104521.tif 000013
【図１２】
2017104521.tif 000014
【図１３】
2017104521.tif 000015
【図１４】
2017104521.tif 000016
【国際調査報告】
2017104521.tif 000017
2017104521.tif 000018